(57)【特許請求の範囲】
【請求項１】
複数のセルのそれぞれに関してチャネル状態情報（ＣＳＩ）のフィードバックの細分性を決定することと、各セルに関するフィードバックの前記細分性は、前記セルとユーザ機器（ＵＥ）の間の通信チャネルの品質に基づいて選択される、
前記複数のセルのそれぞれに関するＣＳＩを、前記セルに関するフィードバックの前記細分性に基づいて報告することと、
前記複数のセルのそれぞれに関して複数の副搬送波に関する複数のチャネル行列を、前記セルに関するフィードバックの前記細分性に基づいて生成することと、
前記生成されたチャネル行列に基づいて前記複数のセルのそれぞれに関する前記ＣＳＩを生成することとを備え、
前記細分性の選択は、強いチャネルを有するセルに、より多くのフィードバックリソースを割り当て、弱いチャネルを有するセルに、より少ないフィードバックリソースを割り当てる、ワイヤレス通信のための方法。
【請求項２】
各セルの前記通信チャネルの前記品質を、前記セルの長期チャネル利得に基づいて決定することをさらに備え、各セルに関するＣＳＩのフィードバックの前記細分性は、前記セルに関する前記長期チャネル利得に基づいて決定される請求項１に記載の方法。
【請求項３】
各セルに関するフィードバックの前記細分性は、前記ＵＥによってＣＳＩが報告されるセルの数にさらに基づいて決定される請求項１に記載の方法。
【請求項４】
ＣＳＩのフィードバックの前記細分性を前記決定することは、前記複数のセルのそれぞれに関してＣＳＩをフィードバックするためのサブバンドサイズを決定することを備え、各セルに関する前記サブバンドサイズは、前記セルの前記通信チャネルの前記品質に基づいて選択され、ＣＳＩを前記報告することは、前記複数のセルのそれぞれに関するＣＳＩを、前記セルに関する前記サブバンドサイズに基づいて報告することを備える請求項１に記載の方法。
【請求項５】
ＣＳＩのフィードバックの前記細分性を前記決定することは、前記複数のセルのそれぞれに関してＣＳＩをフィードバックするための報告間隔を決定することを備え、各セルに関する前記報告間隔は、前記セルの前記通信チャネルの前記品質に基づいて選択され、ＣＳＩを前記報告することは、前記複数のセルのそれぞれに関するＣＳＩを、前記セルに関する前記報告間隔に基づいて報告することを備える請求項１に記載の方法。
【請求項６】
ＣＳＩのフィードバックの前記細分性を前記決定することは、前記複数のセルのそれぞれに関してＣＳＩの量子化の細分性を決定することを備え、各セルに関するＣＳＩの量子化の前記細分性は、前記セルの前記通信チャネルの前記品質に基づいて選択され、ＣＳＩを前記報告することは、前記複数のセルのそれぞれに関するＣＳＩを、前記セルに関するＣＳＩの量子化の前記細分性に基づいて報告することを備える請求項１に記載の方法。
【請求項７】
ＣＳＩのフィードバックの前記細分性を前記決定することは、各セルに関して、
前記セルに関する相関パラメータを、前記セルに関するＣＳＩのフィードバックの前記細分性と関係する少なくとも１つのパラメータに基づいて決定することと、
前記セルに関するＣＳＩ誤差に起因する干渉を、前記相関パラメータ、および前記セルに関する長期チャネル利得に基づいて算出することと、
前記セルに関する前記少なくとも１つのパラメータを、前記セルに関する前記ＣＳＩ誤差に起因する前記干渉、および目標干渉レベルに基づいて選択することと
を備える請求項１に記載の方法。
【請求項８】
前記少なくとも１つのパラメータは、サブバンドサイズ、または報告間隔、または量子化細分性、またはサブバンドサイズと報告間隔と量子化細分性の組合せを備える請求項７に記載の方法。
【請求項９】
各セルに関して少なくとも１つのサブバンドに関する少なくとも１つのフィードバックチャネル行列を、前記セルに関する前記複数のチャネル行列に基づいて決定することと、各フィードバックチャネル行列は、前記セルに関するフィードバックの前記細分性によって決定された構成可能な数の副搬送波に関するチャネル行列に基づいて決定される、
各セルに関する前記ＣＳＩを、前記セルに関する前記少なくとも１つのフィードバックチャネル行列に基づいて決定することと
をさらに備える請求項１に記載の方法。
【請求項１０】
各セルに関して少なくとも１つのサブバンドに関する少なくとも１つの固有ベクトルを、前記セルに関する前記複数のチャネル行列に基づいて決定することと、各固有ベクトルは、前記セルに関するフィードバックの前記細分性によって決定された構成可能な数の副搬送波に関するチャネル行列に基づいて決定される、
各セルに関する前記ＣＳＩを、前記セルに関する前記少なくとも１つの固有ベクトルに基づいて決定することと
をさらに備える請求項１に記載の方法。
【請求項１１】
前記複数のセルのなかのセルのセットからデータ伝送を受信することをさらに備え、前記データ伝送は、セルの前記セットに関する前記報告されたＣＳＩに基づいて送られる、請求項１に記載の方法。
【請求項１２】
前記複数のセルのなかのセルからデータ伝送を受信することをさらに備え、前記データ伝送は、前記複数のセルに関する前記報告されたＣＳＩに基づいて決定された少なくとも１つのプリコーディングベクトルに基づいて送られる、請求項１に記載の方法。
【請求項１３】
複数のセルのそれぞれに関してチャネル状態情報（ＣＳＩ）のフィードバックの細分性を決定する手段であって、各セルに関するフィードバックの前記細分性は、前記セルとユーザ機器（ＵＥ）の間の通信チャネルの品質に基づいて選択される手段と、
前記複数のセルのそれぞれに関するＣＳＩを、前記セルに関するフィードバックの前記細分性に基づいて報告する手段と、
前記複数のセルのそれぞれに関して複数の副搬送波に関する複数のチャネル行列を、前記セルに関するフィードバックの前記細分性に基づいて生成する手段と、
前記生成されたチャネル行列に基づいて前記複数のセルのそれぞれに関する前記ＣＳＩを生成する手段とを備え、
前記細分性の選択は、強いチャネルを有するセルに、より多くのフィードバックリソースを割り当て、弱いチャネルを有するセルに、より少ないフィードバックリソースを割り当てる、ワイヤレス通信のための装置。
【請求項１４】
各セルの前記通信チャネルの前記品質を、前記セルの長期チャネル利得に基づいて決定する手段をさらに備え、各セルに関するＣＳＩのフィードバックの前記細分性は、前記セルに関する前記長期チャネル利得に基づいて決定される請求項１３に記載の装置。
【請求項１５】
ＣＳＩのフィードバックの前記細分性を前記決定する手段は、前記複数のセルのそれぞれに関してＣＳＩをフィードバックするためのサブバンドサイズを決定する手段を備え、各セルに関する前記サブバンドサイズは、前記セルの前記通信チャネルの前記品質に基づいて選択され、ＣＳＩを前記報告する手段は、前記複数のセルのそれぞれに関するＣＳＩを、前記セルに関する前記サブバンドサイズに基づいて報告する手段を備える請求項１３に記載の装置。
【請求項１６】
ＣＳＩのフィードバックの前記細分性を前記決定する手段は、前記複数のセルのそれぞれに関してＣＳＩをフィードバックするための報告間隔を決定する手段を備え、各セルに関する前記報告間隔は、前記セルの前記通信チャネルの前記品質に基づいて選択され、ＣＳＩを前記報告する手段は、前記複数のセルのそれぞれに関するＣＳＩを、前記セルに関する前記報告間隔に基づいて報告する手段を備える請求項１３に記載の装置。
【請求項１７】
ＣＳＩのフィードバックの前記細分性を前記決定する手段は、前記複数のセルのそれぞれに関してＣＳＩの量子化の細分性を決定する手段を備え、各セルに関するＣＳＩの量子化の前記細分性は、前記セルの前記通信チャネルの前記品質に基づいて選択され、ＣＳＩを前記報告する手段は、前記複数のセルのそれぞれに関するＣＳＩを、前記セルに関するＣＳＩの量子化の前記細分性に基づいて報告する手段を備える請求項１３に記載の装置。
【請求項１８】
複数のセルのそれぞれに関してチャネル状態情報（ＣＳＩ）のフィードバックの細分性を決定し、各セルに関するフィードバックの前記細分性は、前記セルとユーザ機器（ＵＥ）の間の通信チャネルの品質に基づいて選択される、
前記複数のセルのそれぞれに関するＣＳＩを、前記セルに関するフィードバックの前記細分性に基づいて報告し、
前記複数のセルのそれぞれに関して複数の副搬送波に関する複数のチャネル行列を、前記セルに関するフィードバックの前記細分性に基づいて生成し、
前記生成されたチャネル行列に基づいて前記複数のセルのそれぞれに関する前記ＣＳＩを生成する、ように構成された少なくとも１つのプロセッサを備え、
前記細分性の選択は、強いチャネルを有するセルに、より多くのフィードバックリソースを割り当て、弱いチャネルを有するセルに、より少ないフィードバックリソースを割り当てる、ワイヤレス通信のための装置。
【請求項１９】
前記少なくとも１つのプロセッサは、各セルの前記通信チャネルの前記品質を、前記セルに関する長期チャネル利得に基づいて決定し、各セルに関するＣＳＩのフィードバックの前記細分性を、前記セルに関する前記長期チャネル利得に基づいて決定するように構成される請求項１８に記載の装置。
【請求項２０】
前記少なくとも１つのプロセッサは、前記複数のセルのそれぞれに関してＣＳＩをフィードバックするためのサブバンドサイズを決定し、各セルに関する前記サブバンドサイズは、前記セルの前記通信チャネルの前記品質に基づいて選択され、前記複数のセルのそれぞれに関するＣＳＩを、前記セルに関する前記サブバンドサイズに基づいて報告するように構成される請求項１８に記載の装置。
【請求項２１】
前記少なくとも１つのプロセッサは、前記複数のセルのそれぞれに関してＣＳＩをフィードバックするための報告間隔を決定し、各セルに関する前記報告間隔は、前記セルの前記通信チャネルの前記品質に基づいて選択され、前記複数のセルのそれぞれに関するＣＳＩを、前記セルの前記報告間隔に基づいて報告するように構成される請求項１８に記載の装置。
【請求項２２】
前記少なくとも１つのプロセッサは、前記複数のセルのそれぞれに関してＣＳＩの量子化の細分性を決定し、各セルに関するＣＳＩの量子化の前記細分性は、前記セルの前記通信チャネルの前記品質に基づいて選択され、前記複数のセルのそれぞれに関するＣＳＩを、前記セルに関するＣＳＩの量子化の前記細分性に基づいて報告するように構成される請求項１８に記載の装置。
【請求項２３】
複数のセルのなかのセルに関するチャネル状態情報（ＣＳＩ）を受信することと、前記セルに関する前記ＣＳＩは、前記セルとユーザ機器（ＵＥ）の間の通信チャネルの品質に基づいて前記セルに関して選択されたＣＳＩのフィードバックの細分性に応じて、前記ＵＥによって決定される、
前記受信されたＣＳＩに基づいて前記セルから前記ＵＥにデータ伝送を送ることと、前記データ伝送は、前記複数のセルのなかの少なくとも１つのセルによって送られ、前記少なくとも１つのセルは、前記セルを含む、
前記複数のセルのそれぞれに関して複数の副搬送波に関する複数のチャネル行列を、前記セルに関するフィードバックの前記細分性に基づいて生成することと、
前記生成されたチャネル行列に基づいて前記複数のセルのそれぞれに関する前記ＣＳＩを生成することとを備え、
前記細分性の選択は、強いチャネルを有するセルに、より多くのフィードバックリソースを割り当て、弱いチャネルを有するセルに、より少ないフィードバックリソースを割り当てる、ワイヤレス通信のための方法。
【請求項２４】
前記セルの前記通信チャネルの前記品質は、前記ＵＥにおける前記セルに関する長期チャネル利得に基づいて決定される請求項２３に記載の方法。
【請求項２５】
前記セルに関する前記ＣＳＩは、前記セルの前記通信チャネルの前記品質に基づいて前記セルに関して選択されたサブバンドサイズに関して、前記ＵＥによって決定される請求項２３に記載の方法。
【請求項２６】
前記セルに関するＣＳＩを前記受信することは、前記セルの前記通信チャネルの前記品質に基づいて前記セルに関して選択された報告間隔に応じて、前記ＵＥによって送られた前記セルに関する前記ＣＳＩを受信することを備える請求項２３に記載の方法。
【請求項２７】
前記セルに関する前記ＣＳＩは、前記セルの前記通信チャネルの前記品質に基づいて前記セルに関して選択されたＣＳＩの量子化の細分性に基づいて、前記ＵＥによって決定される請求項２３に記載の方法。
【請求項２８】
前記少なくとも１つのセルは、前記複数のセルのなかのセルのセットを含み、セルの前記セットに関するプリコーディングベクトルは、セルの前記セットに関して前記ＵＥによって報告されたＣＳＩに基づいて決定され、前記データ伝送は、前記プリコーディングベクトルに基づいて、セルの前記セットによって前記ＵＥに送られる請求項２３に記載の方法。
【請求項２９】
前記少なくとも１つのセルは、前記セルだけを含み、少なくとも１つのプリコーディングベクトルは、前記複数のセルに関して前記ＵＥによって報告されたＣＳＩに基づいて決定され、前記データ伝送は、前記データ伝送を前記ＵＥに向かわせるとともに、前記複数のセルのなかの他の少なくとも１つのセルによるサービスを受ける少なくとも１つのＵＥから遠ざけるように前記少なくとも１つのプリコーディングベクトルに基づいて、前記セルによって前記ＵＥに送られる請求項２３に記載の方法。
【請求項３０】
複数のセルのなかのセルに関するチャネル状態情報（ＣＳＩ）を受信する手段であって、前記セルに関する前記ＣＳＩは、前記セルとユーザ機器（ＵＥ）の間の通信チャネルの品質に基づいて前記セルに関して選択されたＣＳＩのフィードバックの細分性に応じて、前記ＵＥによって決定される手段と、
前記受信されたＣＳＩに基づいて前記セルから前記ＵＥにデータ伝送を送るための手段であって、前記データ伝送は、前記複数のセルのなかの少なくとも１つのセルによって送られ、前記少なくとも１つのセルは、前記セルを含む手段と、
前記複数のセルのそれぞれに関して複数の副搬送波に関する複数のチャネル行列を、前記セルに関するフィードバックの細分性に基づいて生成する手段と、
前記生成されたチャネル行列に基づいて前記複数のセルのそれぞれに関する前記ＣＳＩを生成する手段とを備え、
前記細分性の選択は、強いチャネルを有するセルに、より多くのフィードバックリソースを割り当て、弱いチャネルを有するセルに、より少ないフィードバックリソースを割り当てる、ワイヤレス通信のための装置。
【請求項３１】
前記セルの前記通信チャネルの前記品質は、前記ＵＥにおける前記セルに関する長期チャネル利得に基づいて決定される請求項３０に記載の装置。
【請求項３２】
前記セルに関する前記ＣＳＩは、前記セルの前記通信チャネルの前記品質に基づいて前記セルに関して選択されたサブバンドサイズに関して、前記ＵＥによって決定される請求項３０に記載の装置。
【請求項３３】
前記セルに関するＣＳＩを前記受信する手段は、前記セルの前記通信チャネルの前記品質に基づいて前記セルに関して選択された報告間隔に応じて、前記ＵＥによって送られた前記セルに関する前記ＣＳＩを受信する手段を備える請求項３０に記載の装置。
【請求項３４】
前記セルに関する前記ＣＳＩは、前記セルの前記通信チャネルの前記品質に基づいて前記セルに関して選択されたＣＳＩの量子化の細分性に基づいて、前記ＵＥによって決定される請求項３０に記載の装置。
【請求項３５】
複数のセルのなかのセルに関するチャネル状態情報（ＣＳＩ）を受信し、前記セルに関する前記ＣＳＩは、前記セルとユーザ機器（ＵＥ）の間の通信チャネルの品質に基づいて前記セルに関して選択されたＣＳＩのフィードバックの細分性に応じて、前記ＵＥによって決定される、
前記受信されたＣＳＩに基づいて前記セルから前記ＵＥにデータ伝送を送り、前記データ伝送は、前記複数のセルのなかの少なくとも１つのセルによって送られ、前記少なくとも１つのセルは、前記セルを含む、
前記複数のセルのそれぞれに関して複数の副搬送波に関する複数のチャネル行列を、前記セルに関するフィードバックの前記細分性に基づいて生成し、
前記生成されたチャネル行列に基づいて前記複数のセルのそれぞれに関する前記ＣＳＩを生成する、ように構成された少なくとも１つのプロセッサを備え、
前記細分性の選択は、強いチャネルを有するセルに、より多くのフィードバックリソースを割り当て、弱いチャネルを有するセルに、より少ないフィードバックリソースを割り当てる、ワイヤレス通信のための装置。
【請求項３６】
前記セルの前記通信チャネルの前記品質は、前記ＵＥにおける前記セルに関する長期チャネル利得に基づいて決定される請求項３５に記載の装置。
【請求項３７】
前記セルに関する前記ＣＳＩは、前記セルの前記通信チャネルの前記品質に基づいて前記セルに関して選択されたサブバンドサイズに関して、前記ＵＥによって決定される請求項３５に記載の装置。
【請求項３８】
前記少なくとも１つのプロセッサは、前記セルの前記通信チャネルの前記品質に基づいて前記セルに関して選択された報告間隔に応じて、前記ＵＥによって送られた前記セルに関する前記ＣＳＩを受信するように構成される請求項３５に記載の装置。
【請求項３９】
前記セルに関する前記ＣＳＩは、前記セルの前記通信チャネルの前記品質に基づいて前記セルに関して選択されたＣＳＩの量子化の細分性に基づいて、前記ＵＥによって決定される請求項３５に記載の装置。
【請求項４０】
請求項１乃至１２および請求項２３乃至２９のうちのいずれか一項に記載された方法をコンピュータに実行させるプログラム。
【請求項４１】
請求項１乃至１２および請求項２３乃至２９のうちのいずれか一項に記載された方法をコンピュータに実行させるプログラムを記録したコンピュータ読み取り可能な記憶デバイス。
【発明の詳細な説明】
【技術分野】
【０００１】
本出願は、ともに本発明の譲受人に譲渡され、参照により本明細書に組み込まれている、２００９年１０月１日に出願した「Ｓｃａｌａｂｌｅ  Ｆｅｅｄｂａｃｋ  Ｒｅｐｏｒｔｉｎｇ  ｆｏｒ  Ｎｅｔｗｏｒｋ  ＭＩＭＯ」という名称の米国特許仮出願第６１／２４７，７６３号、および２０１０年１０月８日に出願した「Ｓｃａｌａｂｌｅ  Ｃｏｄｅｂｏｏｋｓ  ｆｏｒ  Ｓｐａｔｉａｌ  Ｆｅｅｄｂａｃｋ  ｉｎ  Ｎｅｔｗｏｒｋ  ＭＩＭＯ」という名称の米国特許仮出願第６１／２４９，７２６号の優先権を主張する。
【背景技術】
【０００２】
[背景]
I.  分野
本開示は、一般に、通信に関し、より具体的には、ワイヤレス通信ネットワークにおいてデータ伝送をサポートするための技術に関する。
【０００３】
II.  背景
ワイヤレス通信ネットワークは、音声、ビデオ、パケットデータ、メッセージング、ブロードキャストなどの様々な通信コンテンツを供給するように広く展開されている。これらのワイヤレス通信ネットワークは、利用可能なネットワークリソースを共有することによって複数のユーザをサポートすることができる多元接続ネットワークであり得る。そのような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークが含まれる。
【０００４】
ワイヤレス通信ネットワークは、いくつかのユーザ機器（ＵＥ;user equipment）のための通信をサポートすることができるいくつかの基地局を含むことが可能である。ＵＥは、複数のセルのカバレッジ内にあることが可能であり、ただし、「セル」という用語は、カバレッジエリアにサービスを提供している基地局および／または基地局サブシステムのカバレッジエリアを指すことが可能である。それらの複数のセルの１つまたは複数が、ＵＥにサービスを提供するように選択されることが可能である。ＵＥが十分なフィードバック情報を送って、その選択されたセルが、良好なパフォーマンスをもたらし得る仕方でＵＥにデータを送信できるようにすることが望ましい可能性がある。
【発明の概要】
【０００５】
スケーラブルなチャネルフィードバック(scalable channel feedback)に基づいてチャネル状態情報（ＣＳＩ;channel state information）を報告するための技術が、本明細書で説明される。ＵＥは、複数のセルのなかの１つまたは複数のセルからのデータ伝送を受信することが可能であり、さらにその複数のセルのそれぞれに関してＣＳＩを報告することが可能である。スケーラブルなチャネルフィードバックの場合、ＵＥは、異なるセルに関して異なる細分性(granularity)でＣＳＩを報告することが可能であり、各セルに関するフィードバックの細分性は、そのセルとＵＥの間の通信チャネルの品質に基づいて決定される。各セルの通信チャネルの品質は、ＵＥに対するデータ伝送に関する、そのセルのパフォーマンスインパクトを示すことが可能である。一般に、弱い／劣悪なチャネルを有するセルに関するＣＳＩにおける誤差は、強い／良好なチャネルを有するセルに関するＣＳＩにおける誤差と比べて、それほどパフォーマンス低下をもたらさない可能性がある。このため、異なるセルの間でフィードバックリソースを不均等に割り当てることによって、良好なパフォーマンスおよび／または、より低いフィードバックオーバーヘッドが獲得されることが可能である。詳細には、強いチャネルを有するセルに、より多くのフィードバックリソースが割り当てられて、より正確なＣＳＩフィードバックが獲得されることが可能であり、弱いチャネルを有するセルに、より少ないフィードバックリソースが割り当てられることが可能である。
【０００６】
一設計において、ＵＥは、複数のセルの各セルに関するＣＳＩのフィードバックの細分性を決定することが可能である。各セルに関するフィードバックの細分性は、そのセルとＵＥの間の通信チャネルの品質に基づいて選択されることが可能である（例えば、ＵＥまたはネットワークエンティティによって）。一設計において、各セルの通信チャネルの品質は、そのセルに関する長期チャネル利得(long-term channel gain)に基づいて決定されることが可能である。フィードバックの細分性は、サブバンドサイズ、報告間隔、ＣＳＩの量子化の細分性などの１つまたは複数のパラメータによって定義されることが可能である。ＵＥは、各セルに関するＣＳＩを、そのセルに関するフィードバックの細分性に基づいて、報告することが可能である。各セルに関するＣＳＩは、チャネル行列(channel matrices)、固有ベクトル、プリコーディングベクトル(precoding vector)などを備えることが可能である。ＵＥは、複数のセルのなかの少なくとも１つのセルからデータ伝送を受信することが可能である。このデータ伝送は、複数のセルに関する報告されたＣＳＩに基づいて、送られることが可能である。
【０００７】
本開示の様々な態様および特徴が、後段でさらに詳細に説明される。
【図面の簡単な説明】
【０００８】
【図１】ワイヤレス通信ネットワークを示す図。
【図２】複数のセルから単一のＵＥへのデータ伝送を示す図。
【図３】スケーラブルなチャネルフィードバックのための例示的なチャネルプロセッサを示す図。
【図４】例示的なスケーラブルなフィードバックパラメータ決定ユニットを示す図。
【図５】スケーラブルなチャネルフィードバックを使用してＣＳＩを報告するためのプロセスを示す図。
【図６】スケーラブルなチャネルフィードバックを使用してＣＳＩを報告するための装置を示す図。
【図７】スケーラブルなチャネルフィードバックを使用して送られるＣＳＩを受信するためのプロセスを示す図。
【図８】スケーラブルなチャネルフィードバックを使用して送られるＣＳＩを受信するための装置を示す図。
【図９】基地局およびＵＥを示すブロック図。
【発明を実施するための形態】
【０００９】
[詳細な説明]
本明細書で説明される技術は、ＣＤＭＡネットワーク、ＴＤＭＡネットワーク、ＦＤＭＡネットワーク、ＯＦＤＭＡネットワーク、ＳＣ−ＦＤＭＡネットワーク、およびその他のネットワークなどの様々なワイヤレス通信ネットワークに関して使用されることが可能である。「ネットワーク」という用語と「システム」という用語は、しばしば、互換的に使用される。ＣＤＭＡネットワークは、ユニバーサル地上無線アクセス（ＵＴＲＡ）、ｃｄｍａ２０００などの無線技術を実施することが可能である。ＵＴＲＡは、広帯域ＣＤＭＡ（ＷＣＤＭＡ）、およびＣＤＭＡの他の変種を含む。ｃｄｍａ２０００は、ＩＳ−２０００標準、ＩＳ−９５標準、およびＩＳ−８５６標準を範囲に含む。ＴＤＭＡネットワークは、グローバルシステムフォーモバイルコミュニケーションズ（ＧＳＭ(登録商標)）などの無線技術を実施することが可能である。ＯＦＤＭＡネットワークは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実施することが可能である。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）が、ダウンリンクでＯＦＤＭＡを使用し、アップリンクでＳＣ−ＦＤＭＡを用いる、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）という名称の団体からの文書において説明されている。ｃｄｍａ２０００およびＵＭＢは、「第３世代パートナーシッププロジェクト２」（３ＧＰＰ２）という名称の団体からの文書において説明されている。本明細書で説明される技術は、前述したワイヤレスネットワークおよび無線技術に関して使用されることも、その他のワイヤレスネットワークおよび無線技術に関して使用されることも可能である。簡明のため、これらの技術のいくつかの態様は、ＬＴＥに関して後段で説明され、さらにＬＴＥ用語が、後段の説明の大部分で使用される。
【００１０】
図１は、ＬＴＥネットワーク、または他の何らかのワイヤレスネットワークであることが可能なワイヤレス通信ネットワーク１００を示す。ワイヤレスネットワーク１００は、いくつかの進化型ノードＢ（ｅＮＢ）および他のネットワークエンティティを含むことが可能である。簡明のため、３つだけのｅＮＢ１１０ａ、１１０ｂ、および１１０ｃ、ならびに１つのネットワークコントローラ１３０が、図１に示される。ｅＮＢは、ＵＥと通信するエンティティであることが可能であり、さらに基地局、ノードＢ、アクセスポイントなどと呼ばれることも可能である。各ｅＮＢ１１０は、特定の地理的区域１０２に関する通信カバレッジを提供することが可能である。ネットワーク容量を向上させるのに、ｅＮＢの全体のカバレッジエリアは、より小さい複数の区域、例えば、より小さい３つの区域１０４ａ、１０４ｂ、および１０４ｃに区分けされることが可能である。より小さい各区域は、それぞれのｅＮＢサブシステムによるサービスを受けることが可能である。３ＧＰＰにおいて、「セル」という用語は、ｅＮＢの最小のカバレッジエリア、および／またはこのカバレッジエリアにサービスを提供するｅＮＢサブシステムを指すことが可能である。３ＧＰＰ２において、「セクタ」または「セル−セクタ」という用語は、基地局の最小のカバレッジエリア、および／またはこのカバレッジエリアにサービスを提供する基地局サブシステムを指すことが可能である。簡明のため、セルの３ＧＰＰ概念が、後段の説明において使用される。一般に、ｅＮＢは、１つまたは複数（例えば、３つ）のセルをサポートすることが可能である。
【００１１】
ネットワークコントローラ１３０が、ｅＮＢのセットに結合されることが可能であり、さらにこれらのｅＮＢに関する調整および制御をもたらすことが可能である。ネットワークコントローラ１３０は、モバイル管理エンティティ（ＭＭＥ）、および／または他の何らかのネットワークエンティティを含むことが可能である。
【００１２】
ＵＥ１２０は、ワイヤレスネットワーク全体にわたって散らばっていることが可能であり、さらに各ＵＥは、固定であっても、モバイルであってもよい。簡明のため、図１は、各セル内に１つだけのＵＥ１２０を示す。ＵＥは、移動局、端末装置、アクセス端末装置、加入者ユニット、局などと呼ばれることも可能である。ＵＥは、セルラ電話機、携帯情報端末（ＰＤＡ）、ワイヤレスモデム、ワイヤレス通信デバイス、ハンドヘルドデバイス、ラップトップコンピュータ、コードレス電話機、ワイヤレスローカルループ（ＷＬＬ）局、スマートフォン、ネットブック、スマートブックなどであることが可能である。ＵＥは、ダウンリンクおよびアップリンクを介してｅＮＢと通信することが可能である。ダウンリンク（つまり、順方向リンク）とは、ｅＮＢからＵＥに至る通信リンクを指し、アップリンク（つまり、逆方向リンク）とは、ＵＥからｅＮＢに至る通信リンクを指す。
【００１３】
ワイヤレスネットワーク１００は、ダウンリンクネットワーク複数入力複数出力（ＭＩＭＯ）を含むことが可能な協調型マルチポイント（ＣｏＭＰ）をサポートすることが可能である。ＣｏＭＰの場合、複数のセルが、この複数のセルからの信号がターゲットＵＥにおいて組み合わされ得るように、さらに／またはセル間干渉が、干渉を受けるＵＥにおいて低減され得るように、協調して同一の時間−周波数リソース上で１つまたは複数のＵＥにデータを伝送することが可能である。ＣｏＭＰは、以下を含むことが可能である。すなわち、
１．共同処理  −  異なるセルにおけるプリコーディングベクトルが、ターゲットＵＥにおけるビーム形成利得、および／または干渉を受ける１つまたは複数のＵＥにおける干渉低減を実現するように選択されている、複数のセルから１つまたは複数のＵＥへのデータのマルチポイント伝送、および
２．協調ビーム形成  −  ターゲットＵＥに対するビーム形成利得と、１つまたは複数のセルによるサービスを受けている、干渉を受ける１つまたは複数のＵＥに対する干渉低減の間で取引することによって、１つまたは複数のプリコーディングベクトルが選択される、単一のセルからターゲットＵＥへのデータの単一ポイント伝送。
【００１４】
共同処理に関して、複数のセルが、所与のＵＥにデータを伝送することが可能であるのに対して、協調ビーム形成に関して、単一のセルがＵＥにデータを伝送することが可能である。しかし、共同処理と協調ビーム形成の両方に関して、ＵＥにデータを伝送するのに１つまたは複数のセルによって使用されるプリコーディングベクトルは、セル間干渉を低減するために、ＵＥの複数のチャネル、および他のＵＥの複数のチャネルを考慮することによって選択されることが可能である。
【００１５】
図２は、複数のセルから単一のＵＥへのＣｏＭＰ伝送の例を示す。ＵＥは、ＵＥによって測定されることが可能であり、さらにＵＥに対するＣｏＭＰ伝送に参加することができるすべてのセルを含むことが可能な測定セットを有することが可能である。これらのセルは、同一のｅＮＢ、または異なるｅＮＢに属することが可能であり、さらにチャネル利得／パスロス、受信信号強度、受信信号品質などに基づいて選択されることが可能である。受信信号品質は、信号対干渉雑音比（ＳＩＮＲ）、搬送波対干渉比（Ｃ／Ｉ）などによって条件付けられることが可能である。例えば、測定セットは、或るしきい値を超えるチャネル利得またはＳＩＮＲを有するセルを含むことが可能である。ＵＥは、測定セットの中のセルに関するチャネル状態情報（ＣＳＩ）を特定し、報告することが可能である。ＵＥは、マルチポイント伝送（共同処理）のため、または単一ポイント伝送（協調ビーム形成）のためにＣｏＭＰセットの中の１つまたは複数のセルによるサービスを受けることが可能である。ＣｏＭＰセットは、測定セットの中のセルのすべて、またはいくつかを含むことが可能であり、さらにＵＥが知ることなしに動的に選択されることが可能である。
【００１６】
図２に示されるとおり、ＵＥは、各セルに関して異なる通信チャネルまたは通信リンクを有することが可能である。各セルｍからＵＥへのチャネルの応答は、ＣmＨmとして与えられることが可能であり、ただし、Ｈmは、セルmに関するＲ×Ｎmチャネル行列であり、Ｃmは、セルｍに関する長期チャネル利得であり、Ｎmは、セルｍにおける送信アンテナの数であり、Ｒは、ＵＥにおける受信アンテナの数であり、さらにｍ∈｛１，．．．，Ｍ｝である。Ｈmは、セルｍにおけるＮm個の送信アンテナとＵＥにおけるＲ個の受信アンテナの短期フェージングを表すチャネル利得を含み、ただし、一般に、Ｎm≧１かつＲ≧１である。Ｃmは、セルｍとＵＥの間の長期チャネル利得を表す。測定セットの中の異なるセルの長期チャネル利得の間には無視できない差が存在する可能性がある。
【００１７】
各セルは、チャネル推定のためにＵＥによって使用されることが可能なセル固有の基準信号（ＣＲＳ）を送信することが可能である。基準信号は、送信機および受信機によってアプリオリに知られている信号であり、さらにパイロットと呼ばれることも可能である。ＣＲＳは、セルに関して固有である、例えば、セルアイデンティティ（ＩＤ）に基づいて生成された基準信号である。ＵＥは、各セルに関するチャネル応答（例えば、チャネル行列）を、そのセルからのＣＲＳに基づいて推定することが可能である。
【００１８】
ＵＥは、ＣｏＭＰ伝送をサポートする明示的なチャネルフィードバック（明示的なフィードバックとも呼ばれる）または暗黙のチャネルフィードバック（暗黙のフィードバックとも呼ばれる）を送ることが可能である。明示的なフィードバックの場合、ＵＥは、ＵＥによって観察された、異なるセルに関するチャネル応答を示すＣＳＩを送ることが可能である。暗黙のフィードバックの場合、ＵＥは、場合により、特定のプリコーディング行列を条件とする、異なるセルに関するチャネル応答に基づいて特定されたＣＳＩを送ることが可能である。
【００１９】
明示的なフィードバックの場合、ＵＥは、個々のセルに関するセル内成分、および複数のセルにわたるセル間成分を特定し、報告することが可能である。セル内成分は、所与のセルの送信アンテナとＵＥの受信アンテナの間の短期ＣＳＩを捕捉することが可能である。セル間成分は、複数のセルにわたる振幅および位相の関係を捕捉することが可能である。これらのセル内成分およびセル間成分は、ＵＥに対するＣｏＭＰ伝送のために使用されることが可能である。セル内成分の方が、スケーラブルなチャネルフィードバックにより関係がある可能性があり、後段で詳細に説明される。
【００２０】
セル内成分の明示的なフィードバックの一設計において、ＵＥは、それぞれ、セル１からＭに関するチャネル行列Ｈ1からＨMを報告することが可能である。協調ビーム形成の場合、ＵＥに関するサービングセルは、そのセルのチャネル行列を使用して、そのセルのデータ伝送をＵＥに向かわせ、さらに、場合により、他のセルによるサービスを受ける他の１つまたは複数のＵＥから遠ざける。各非サービングセルは、ＵＥに対する干渉を低減するために、そのセルのチャネル行列を使用して、そのセルのデータ伝送をＵＥから遠ざけることが可能である。共同処理の場合、複数のセルが、それらのセルのチャネル行列を使用して、データ伝送をＵＥに向かわせ、さらに、場合により、他の１つまたは複数のＵＥから遠ざけることが可能である。
【００２１】
明示的なフィードバックの別の設計において、ＵＥは、各セルからＵＥに至るチャネルの１つまたは複数の固有モードに関する１つまたは複数の固有ベクトルを報告することが可能である。ＵＥは、以下のとおり、セルｍに関するチャネル行列の特異値分解を実行することが可能である。すなわち、
【数１】
0005591935.tif 000002
【００２２】
ただし、Ｕmは、Ｈmの左特異ベクトルのユニタリ行列であり、
Ｖmは、Ｈmの右特異ベクトルのユニタリ行列であり、
Σmは、Ｈmの特異値の対角行列であり、さらに
「H」は、エルミート転置、つまり、共役転置を表す。
【００２３】
Ｖmにおける右特異ベクトルは、固有ベクトルとも呼ばれる。ＵＥは、Σmの中の最も大きいＱ個の特異値に対応するＶmの中の最良のＱ個の固有ベクトルを選択することが可能であり、ただし、一般に、１≦Ｑ≦ｍｉｎ｛Ｒ，Ｎm｝である。一設計において、ＵＥは、可能な異なる数の固有ベクトル（すなわち、可能な異なるＱ個の値）のパフォーマンスを評価することが可能であり、さらに最良のパフォーマンスを有するＱ値を選択することが可能である。別の設計において、ＵＥは、長期チャネル条件、ＵＥに関するデータの量などの様々な基準に基づいて、Ｑの特定の値で構成されることが可能である。いずれにしても、Ｑは、最大「ランク」と呼ばれることが可能であり、ＵＥに対するデータ伝送のために構成される最大限の数の層または固有モードを示すことが可能である。
【００２４】
セル内成分の明示的なフィードバックのさらに別の設計において、ＵＥは、以下のとおり、各セルｍに関して等価のチャネル行列を決定することが可能である。すなわち、
【数２】
0005591935.tif 000003
【００２５】
ただし、Ｕ1は、サービングセルに関するＨ1の左特異ベクトルのユニタリ行列であり、さらにＧmは、セルｍに関する等価のチャネル行列である。
【００２６】
暗黙のフィードバックの一設計において、ＵＥは、異なるセルに関するチャネル応答に基づいて、プリコーディング行列指標（ＰＭＩ）、ランク指標（ＲＩ）、および／またはチャネル品質指標（ＣＱＩ）を決定することが可能である。ＵＥは、可能な異なるプリコーディングベクトル、および可能な異なるランクのパフォーマンス（例えば、全体的なスループット）を評価することが可能であり、さらに最良のパフォーマンスを有するプリコーディングベクトルおよびランクを特定することが可能である。また、ＵＥは、最良のパフォーマンスを有するプリコーディングベクトルおよびランクに基づいてＣＱＩを決定することも可能である。次に、ＵＥは、ＰＭＩ、ＲＩ、および／またはＣＱＩを報告することが可能であり、このＰＭＩ、ＲＩ、および／またはＣＱＩは、ＵＥに対するデータ伝送のために使用されることが可能である。このように、このＰＭＩ、ＲＩ、および／またはＣＱＩは、暗黙のチャネル情報をもたらすことが可能である。
【００２７】
明示的なフィードバックは、暗黙のフィードバックと比べて、ＣｏＭＰ伝送に関して、より良好なパフォーマンスをもたらすことが可能である。このことは、ＵＥが、通常、他のＵＥにおけるチャネル条件の知識を有さず、したがって、それらの他のＵＥに関して良好なパフォーマンス（例えば、干渉低減）をもたらし得るプリコーディングベクトルを特定することができないためである。明示的なフィードバックでは、異なるＵＥは、異なるセルに関するチャネル行列または固有ベクトルを報告することが可能である。次に、影響を受けるすべてのＵＥに関して良好なパフォーマンスを獲得する、例えば、各ＵＥに関する信号対漏れ比（ＳＬＲ）を最大化するプリコーディングベクトルが、異なるＵＥからの報告されたチャネル行列または固有ベクトルに基づいて特定されることが可能である。
【００２８】
ＣｏＭＰ伝送に関するフィードバックオーバーヘッドは、他のＵＥを考慮する必要のない、１つのセルから１つのＵＥへの従来の伝送に関するフィードバックオーバーヘッドと比べて、はるかに大きいことが可能である。このことは、ＵＥが、従来の伝送の場合、サービングセルに関してだけＣＳＩを報告することが可能であるが、ＣｏＭＰ伝送の場合、サービングセルとともに、他のセルに関してもＣＳＩを報告することが可能であるためである。ＣｏＭＰ伝送に関する、より高いフィードバックオーバーヘッドは、（ｉ）ＵＥによる複数のセルに関するＣＳＩを報告するさらなるアップリンクオーバーヘッドと、（ｉｉ）ＵＥに対するＣｏＭＰ伝送に参加するセル間でＣＳＩを広めるバックホール上のさらなるシグナリングをともにもたらすことが可能である。
【００２９】
或る態様において、スケーラブルなチャネルフィードバックが、フィードバックオーバーヘッドを低減しながら、ＣｏＭＰ伝送に関して良好なパフォーマンスを得るのに使用されることが可能である。スケーラブルなチャネルフィードバックの場合、ＵＥは、ＵＥに対するＣｏＭＰ伝送に関する各セルのパフォーマンスインパクトに基づいて、異なるセルに関して異なる細分性でＣＳＩを報告することが可能である。本発明者らは、弱いチャネルを有するセルに関するＣＳＩの誤差が、強いチャネルを有するセルに関するＣＳＩの誤差と比べて、それほどパフォーマンスの低下をもたらさない可能性があることを見出した。したがって、異なるセルの間で不均等にフィードバックリソースを割り当てることによって、良好なパフォーマンスおよび／または、より小さいオーバーヘッドが得られることが可能である。詳細には、より正確なＣＳＩフィードバックを得るように、強いチャネルを有するセルに、より多くのフィードバックリソース（例えば、より多くのシグナリングビットおよび／または、より多くのＣＳＩレポート）が割り当てられることが、これらのセルは、パフォーマンスにより大きい影響を与える可能性があるので、可能である。逆に、弱いチャネルを有するセルに、より少ないフィードバックリソース（例えば、より少ないシグナリングビットおよび／または、より少ないＣＳＩレポート）が割り当てられることが、これらのセルに関して、比較的、より大きいＣＳＩ誤差が許容され得るので、可能である。
【００３０】
本明細書の説明において、ＵＥに対して強いチャネルを有するセルは、強いセルと呼ばれることが可能であり、ＵＥに対して弱いチャネルを有するセルは、弱いセルと呼ばれることが可能である。セルは、チャネル利得／パスロス、受信信号強度、受信信号品質などの様々な基準に基づいて、強いセル、または弱いセルと考えられることが可能である。例えば、セルは、（ｉ）セルに関するチャネル利得が高いしきい値を超える場合、強いセルと考えられることが可能であり、あるいは（ｉｉ）チャネル利得が低いしきい値を下回る場合、弱いセルと考えられることが可能である。２つ以上のカテゴリのセルが、例えば、より多くのしきい値を使用することによって、定義されることも可能である。例えば、セルが、非常に強いセル、または強いセル、または中程度のセル、または弱いセルなどと考えられることが可能である。簡明のため、後段の説明の大部分は、２つカテゴリのセル、強いセル、および弱いセルを想定する。
【００３１】
ＵＥは、ＣｏＭＰ伝送に関して良好なパフォーマンスを得るために十分に正確なＣＳＩを報告しなければならない。ＣＳＩフィードバックの精度／忠実度は、以下の１つまたは複数を含むことが可能な、様々な要因に依存することが可能である。すなわち、
Ａ．フィードバックタイプ  チャネル行列、固有ベクトル、プリコーディングベクトルなど、
Ｂ．フィードバックに先立つＵＥにおいて生じるチャネル推定誤差
Ｃ．時間領域および／または周波数領域におけるＣＳＩフィードバックの細分性、および
Ｄ．ＣＳＩの量子化。
【００３２】
一般に、周波数および時間の点でより細かい細分性でＣＳＩを報告すること、およびＣＳＩを量子化するのに、より多くのビットを使用することによって、より正確なＣＳＩフィードバックが実現されることが可能であり、これらのすべては、フィードバックオーバーヘッドを増大させる可能性がある。また、ＣＳＩフィードバックの精度は、報告されているＣＳＩのタイプ、ＵＥにおけるチャネル推定誤差、および／または他の要因に依存することも可能である。これらの要因のいくつかは、構成可能である可能性があるのに対して、他の要因は、固定である可能性がある。例えば、フィードバックタイプは、システム設計に依存することが可能であり、固定である可能性がある。チャネル推定誤差は、ＵＥによって用いられる受信機処理技術に依存する可能性があり、構成可能でない可能性がある。ＣＳＩを量子化するのに使用されるビットの数は、システム設計によって決まっていることも、構成可能であることも可能である。
【００３３】
セルに関するチャネルは、周波数選択的（すなわち、周波数にわたって変化する）および時間選択的（すなわち、時間にわたって変化する）であることが可能である。時間選択的で、周波数選択的なチャネルに関するＣＳＩは、或る細分性で報告されることが可能であり、この細分性は、チャネルを高い忠実度で表すことと、適度のフィードバックオーバーヘッド（例えば、ＣＳＩレポートの数の点で）を維持することの間でバランスをとるように選択されることが可能である。所与の展開に関して観測されるチャネル統計に依存して、様々なトレードオフが、異なる仕方でチャネルを表すことによって実現されることが可能である。例えば、チャネルは、周波数領域において表されることが可能であり、さらにサブバンドのセットに関するチャネル利得を備えるＣＳＩが、報告されることが可能である。逆に、チャネルは、時間領域で表されることが可能であり、さらに優勢なマルチパス成分に対応する時間領域チャネルタップのセットを備えるＣＳＩが、報告されることが可能である。いずれにしても、チャネルの表現にかかわらず、ＣＳＩフィードバック精度とＣＳＩレポートの数の間にトレードオフが存在することが可能である。
【００３４】
ＵＥは、本来的に、いくつかのチャネル推定誤差を有することが可能であり、これらの誤差は、様々な原因によることが可能である。ＵＥにおけるチャネル推定誤差は、フィードバック関連の障害に先立って、ＣＳＩの精度に影響を及ぼす可能性がある。その結果、チャネル推定誤差は、所望されるフィードバック細分性を選択する際に、考慮に入れられることが可能である。
【００３５】
図３は、スケーラブルなチャネルフィードバックのためのチャネルプロセッサ３００の設計のブロック図を示す。チャネルプロセッサ３００は、ＵＥまたは他の何らかのエンティティの一部であることが可能である。チャネルプロセッサ３００内で、ユニット３１０は、受信された基準シンボル、および／または他の受信されたシンボルに基づいて、測定セットの中の異なる複数のセルの長期チャネル利得を算出することが可能である。ユニット３２０が、ユニット３１０からの異なる複数のセルに関する長期チャネル利得、ならびにＵＥによって使用される受信機処理技術を獲得することが可能であり、さらにＵＥによるＣＳＩのフィードバックの細分性を決定する１つまたは複数のスケーラブルなフィードバックパラメータを決定することが可能である。ユニット３３０が、受信された基準シンボルに基づいてチャネル推定を実行することが可能であり、さらにユニット３２０からの１つまたは複数のスケーラブルなフィードバックパラメータに応じてＣＳＩレポートを生成することが可能である。
【００３６】
一般に、ＣＳＩフィードバックは、任意の数のスケーラブルなフィードバックパラメータ、および任意の特定のスケーラブルなフィードバックパラメータに基づいて「スケール変更される」ことが可能である。「スケール変更される」という用語は、ＣＳＩフィードバックの細分性の調整を指す。一設計において、ＣＳＩフィードバックは、時間領域および周波数領域においてＣＳＩフィードバックの適切な細分性を選択することによってスケール変更されることが可能である。この設計において、ＵＥは、強いセルに関するＣＳＩを、周波数の点で、より細かい細分性で、さらに／または時間的により高い頻度で報告することが可能であり、さらに弱いセルに関するＣＳＩを、周波数の点で、より粗い細分性で、さらに／または時間的により低い頻度で報告することが可能である。この設計は、弱いセルと強いセルの両方に関してＣＳＩの或る固定の量子化を想定することが可能である。別の設計において、ＣＳＩフィードバックは、ＣＳＩに関して適切な量子化を選択することによってスケール変更されることが可能である。この設計において、ＵＥは、強いセルに関するＣＳＩを、より多くのビットを使用して量子化することが可能であり、弱いセルに関するＣＳＩを、より少ないビットを使用して量子化することが可能である。この設計は、時間領域および周波数領域におけるＣＳＩフィードバックの或る固定の細分性を想定することが可能である。さらに別の設計において、ＣＳＩフィードバックは、時間領域および周波数領域においてＣＳＩフィードバックの適切な細分性を選択するとともに、ＣＳＩに関して適切な量子化を選択することによってスケール変更されることが可能である。また、ＣＳＩフィードバックは、他のスケーラブルなフィードバックパラメータによってスケール変更されることも可能である。スケーラブルなチャネルフィードバックは、前掲のフィードバックタイプを含め、任意のフィードバックタイプに関して使用されることが可能である。
【００３７】
ＣＳＩフィードバックの細分性は、様々な基準に基づいて決定されることが可能である。一設計において、ＣＳＩフィードバックの細分性は、ＵＥにおける残留干渉に基づいて決定されることが可能である。残留干渉は、ＵＥに対するＣｏＭＰ伝送に関与していないすべてのセルからの干渉、および熱雑音を含むことが可能である。残留干渉は、セルからの基準信号に基づいて推定されることが可能である。一設計において、ＣＳＩフィードバックの細分性は、ＣＳＩ誤差の影響とＵＥにおける残留干渉の量のバランスをとることが可能であるように選択され得る。所与の量のＣＳＩ誤差は、（ｉ）大きいチャネル利得を有する強いセルに関連する場合、より大きな追加の干渉、およびより大きいパフォーマンスインパクトをもたらすことが可能であり、さらに（ｉｉ）小さいチャネル利得を有する弱いセルに関連する場合、より小さい追加の干渉、およびより小さいパフォーマンスインパクトをもたらすことが可能である。このため、より多くのフィードバックリソースが、ＣＳＩ誤差がパフォーマンスにより大きな影響を与える、強いセルに割り当てられることが可能であり、したがって、これらのセルに関するＣＳＩ誤差に起因する追加の干渉は、例えば、残留干渉に近いレベルまで、低減され得る。逆に、より少ないフィードバックリソースが、ＣＳＩ誤差がパフォーマンスにそれほど影響を与えない、弱いセルに割り当てられることが可能であり、したがって、これらのセルに関するＣＳＩ誤差に起因する追加の干渉は、残留干渉に近いレベルである。このように、各セルには、そのセルに関するＣＳＩ誤差に起因する追加の干渉が残留干渉のレベルに近いように、十分なフィードバックリソースが割り当てられることが可能である。このことは、すべてのセルがほぼ等しいＣＳＩ誤差を有し、そのことが、強いセルが、より大きな追加の干渉、およびより大きいパフォーマンスインパクトを有することをもたらす固定のチャネルフィードバックスキームと比べて、より良好なパフォーマンス、および／またはより小さいフィードバックオーバーヘッドをもたらすことが可能である。
【００３８】
簡明のため、マルチポイント等化（ＭＰＥ）とも呼ばれる、共同処理を使用するマルチポイント伝送の枠組み内のスケーラブルなチャネルフィードバックの特定の設計が、以下に説明される。ＭＰＥの枠組み内で、ＵＥが、測定セットの中のいくつかのセル、またはすべてのセルのチャネルを推定し、報告することが可能である。一設計において、ＵＥは、ＣＳＩレポートをサービングセルに送ることが可能であり、サービングセルは、その報告されたＣＳＩを、バックホールを介して他のセルに広めることが可能である。報告されたＣＳＩは、いずれのセルが、ＵＥに対するＣｏＭＰ伝送に参加すべきかを決定するのに使用されることが可能である。これらのセルは、ＵＥに関するＣｏＭＰセットの一部であることが可能である。また、報告されたＣＳＩは、例えば、信号対漏れ比最大化に基づいて、ＣｏＭＰセットの中のセルによって使用されるべきプリコーディングベクトルを決定するのに使用されることも可能である。しかし、報告されたＣＳＩの誤差は、それらのプリコーディングベクトルと、ＣｏＭＰセットの中のセルの真のチャネルの間で不適合をもたらす。ＣＳＩ誤差は、ＵＥにおける追加の干渉につながる。この追加の干渉は、良好なパフォーマンスを得るようにＵＥにおける残留干渉とバランスがとられることが可能である。
【００３９】
簡明のため、以下の説明は、チャネル行列が推定され、報告されるものと想定する。しかし、以下の説明は、他のフィードバックタイプにも適用可能であり得る。ＵＥが、Ｈm（１）からＨm（Ｋ）と表されることが可能な、各セルｍに関するＫから複数の副搬送波１に関するチャネル行列の推定を獲得することが可能である。ＵＥが、Ｋ個の測定されたチャネル行列に基づいて、システム帯域幅全体にわたるＳ個のサブバンドに関して報告するＳ個のフィードバックチャネル行列を決定することが可能であり、ただし、Ｓ＜Ｋである。各サブバンドは、Ｌ個の副搬送波を範囲に含むことが可能であり、ただし、簡明のため、Ｌは、整数値であることが可能であり、かつ、Ｌ＝Ｋ／Ｓとして与えられることが可能である。各サブバンドに関するフィードバックチャネル行列は、以下のとおり与えられることが可能である。すなわち、
【数３】
0005591935.tif 000004
【００４０】
ただし、ＨFB,m（ｓ）は、サブバンドｓに関するセルｍに関するフィードバックチャネル行列であり、さらにｆ（）は、チャネル行列を処理する関数を表す。
【００４１】
関数ｆ（）は、或るサブバンドに関するＬ個の測定されたチャネル行列を平均する単純な平均関数であることが可能である。また、関数ｆ（）は、測定されたチャネル行列の数に基づいてフィードバックチャネル行列をもたらすことが可能な他の何らかの関数であることも可能である。フィードバックチャネル行列ＨFB,m（ｓ）は、サブバンドｓ上のセルｍに関するチャネルを近似することが可能である。
【００４２】
一設計において、フィードバックチャネル行列の精度／忠実度は、以下のとおり、簡単な相関モデルを使用して解析的にモデル化されることが可能である。すなわち、
【数４】
0005591935.tif 000005
【００４３】
ただし、βmは、セルｍの相関パラメータであり、さらに
Ｖ（ｋ）は、平均０、分散１の複素ガウス分布を有するランダムな変数の行列である。
【００４４】
式（４）に示されるとおり、副搬送波ｋに関する測定されるチャネル行列Ｈm（ｋ）は、２つの成分、すなわち、副搬送波ｋに適用可能なフィードバックチャネル行列のスケール変更されたバージョンから成る第１の／望ましい成分、および雑音をモデル化するランダムな変数からなる第２の／雑音成分で近似されることが可能である。相関パラメータβmは、ＣＳＩフィードバックにおける雑音の量を示すことが可能であり、より大きいβmは、より少ない雑音に対応し、より小さいβmは、より多い雑音に対応する。相関パラメータβmは、チャネルの周波数選択性、チャネルの時間選択性、基準信号のために使用される副搬送波の数、ＵＥにおけるチャネル推定によってもたらされるＣＳＩ誤差、ＣＳＩを報告することの遅延に関連するＣＳＩ不適合、チャネルタップの数、協調させられないＳＩＮＲ（例えば、基準信号に基づいて測定された）などの様々なパラメータ／要因に依存することが可能である。相関パラメータβmは、計算、モンテカルロコンピュータシミュレーション、経験的な測定などに基づいて、関心対象の１つまたは複数のスケーラブルなフィードバックパラメータに関して測定されることが可能である。
【００４５】
相関パラメータβmは、ＣＳＩ報告誤差に起因するパフォーマンス低下を定量化するのに使用されることが可能であり、さらにモデル化されるべき障害のタイプに応じて異なる仕方で決定されることが可能である。例えば、ＣＳＩ推定誤差を、時間／周波数報告細分性またはＣＳＩ量子化からもたらされる障害と異なる仕方で扱うことが、ＣＳＩ量子化からもたらされる障害の場合には、処理されたＣＳＩ値と未処理のＣＳＩ値がともにＵＥにおいて利用可能である可能性があるので、有益である可能性がある。このため、ＣＳＩ報告モジュールへの入力とＣＳＩ報告モジュールの出力を比較することによって平均誤差項を計算することが可能であり得る。このＣＳＩ報告モジュールは、チャネル推定を受け取り、それらのチャネル推定に基づき、さらに選択された時間／周波数細分性およびＣＳＩ量子化に従って、ＣＳＩレポートを計算することが可能である。ＣＳＩ推定誤差自体からもたらされる障害は、ワイヤレスチャネルの真の値が知られていないため、異なる仕方で扱われることが可能である。この事例において、相関パラメータβmは、チャネルモデルに関して想定を行うこと、および単純な近似を使用することによって決定されることが可能である。例えば、一設計において、チャネル推定誤差の分散は、（ｉ）ＵＥにおいて受信される、チャネル推定のために使用される基準信号のＳＩＮＲに反比例し、さらに（ｉｉ）推定されるべきチャネルタップの数に比例するものと想定されることが可能である。前述のような簡単な定式化は、使用されているチャネル推定アルゴリズムの特定のタイプに応じてパラメータを調整することによって、改良されることが可能である。また、相関パラメータβmは、解析表現式、モンテカルロシミュレーションなどに基づいて決定されることも可能である。一般に、特定のスケーラブルなフィードバックパラメータに対応する相関パラメータβmは、適切な方法によって決定されることが可能であり、さらにルックアップテーブルの中に格納されることが可能である。
【００４６】
様々なスケーラブルなチャネルフィードバック設計が、式（４）に示される相関モデルに基づいて実施されることが可能である。一設計において、相関パラメータβの値は、可能な各サブバンドサイズＬに関して決定されることが可能である（例えば、解析的に、またはコンピュータシミュレーションによって）。可能なサブバンドサイズのセットに関してβの値のセットが獲得されることが可能である。βの各値に関して、ＣＳＩ誤差に起因する追加の干渉が、算出されることが可能である。また、追加の干渉は、ＵＥによって使用される受信機処理技術などの他の要因に依存することも可能である。例えば、ゼロフォーシング技術が、ＵＥによって使用される場合、追加の干渉は、以下のとおり近似されることが可能である。すなわち、
【数５】
0005591935.tif 000006
【００４７】
ただし、ＩCSI,mは、セルｍに関するＣＳＩ誤差に起因する追加の干渉である。
【００４８】
追加の干渉は、最小平均二乗誤差（ＭＭＳＥ）、逐次干渉除去（ＳＩＣ）などの他の受信機処理技術のための他の式によって定義されてもよい。
【００４９】
各セルｍに関して、追加の干渉は、βmの異なる値に関連することが可能な、可能な異なるサブバンドサイズに関して算出されることが可能である。セルｍに関して特定のサブバンドサイズＬmが、追加の干渉ＩCSI,mが、目標干渉レベルになる、または目標干渉レベルに近くなるように選択されることが可能である。この目標干渉レベルは、ＵＥに対するＣｏＭＰ伝送に参加していない他のセルに起因する、ＵＥにおける残留干渉に基づいて、決定されることが可能である。例えば、目標干渉レベルは、異なる複数のセルからの誤差項の累積を回避するために、残留干渉を下回る或る量であることが可能である。
【００５０】
一般に、相関パラメータβmは、任意の数のスケーラブルなフィードバックパラメータに関して、さらに任意の特定のスケーラブルなフィードバックパラメータに関して決定されることが可能である。各スケーラブルなフィードバックパラメータは、構成可能であることが可能であり、さらに可能な値のセットに関連することが可能である。例えば、相関パラメータβmは、（ｉ）周波数領域における細分性と関係するサブバンドサイズＬm、または（ｉｉ）時間領域における細分性と関係する報告間隔Ｔm、または（ｉｉｉ）ＣＳＩの量子化のためのビットの数Ｑm、または（ｉｖ）他の何らかのスケーラブルなフィードバックパラメータ、または（ｖ）異なるスケーラブルなフィードバックパラメータの組合せに関して決定されることが可能である。相関パラメータβmは、以下のとおり表現されることが可能である。すなわち、
【数６】
0005591935.tif 000007
【００５１】
ただし、ｇ（）は、セルｍに関する１つまたは複数のスケーラブルなフィードバックパラメータ（例えば、サブバンドサイズおよび報告間隔）に基づいて相関パラメータβmの値を決定するための関数である。また、関数ｇ（）は、前述した他の要因に依存することも可能である（例えば、ＵＥによって使用される受信機処理技術）。
【００５２】
一設計において、相関パラメータβmの値は、セルに関する１つまたは複数のスケーラブルなフィードバックパラメータの値の様々な組合せに関して決定されることが可能であり、さらにルックアップテーブル（ＬＵＴ）の中に格納されることが可能である。その後、βmの値は、後段で説明されるとおり、ルックアップテーブルから取り出されて、セルに関する追加の干渉を算出するのに使用されることが可能である。
【００５３】
図４は、セルに関する１つまたは複数のスケーラブルなフィードバックパラメータを決定するためのスケーラブルなフィードバックパラメータ決定ユニット４００の設計のブロック図を示す。ユニット４００は、図３のユニット３２０のために使用されることが可能である。図４に示される設計において、スケーラブルなフィードバックパラメータは、サブバンドサイズＬおよび報告間隔Ｔを含む。スケーラブルなフィードバックパラメータは、他の設計において異なるパラメータおよび／または追加のパラメータを含むことが可能である。
【００５４】
ユニット４００内で、ルックアップテーブル４１０が、サブバンドサイズＬの値と報告間隔Ｔの値の可能な異なる組合せに関する相関パラメータβの値を格納することが可能である。コントローラ４４０が、各セルに関してＬの値とＴの値の可能な様々な組合せを評価することが可能であり、さらにそのセルに関してＬの値とＴの値の適切なセットを選択することが可能である。コントローラ４４０が、最初に、評価のためにセルｍに関するＬmの値とＴmの値の組合せを選択することが可能である。ルックアップテーブル４１０が、コントローラ４４０から、ＬmとＴmの選択された値を受け取ることが可能であり、セルｍに関するβmの対応する値を提供することが可能である。ユニット４２０が、ルックアップテーブル４１０からのβmの値、セルｍに関する長期チャネル利得Ｃm、ＵＥによって使用される受信機処理技術（例えば、ゼロフォーシング、ＭＭＳＥなど）、および／またはその他のパラメータを受け取ることが可能である。ユニット４２０は、以下のとおり、すべての入力パラメータに基づいて、セルｍに関するＣＳＩ誤差に起因する追加の干渉ＩCSI,mを算出することが可能である。すなわち、
【数７】
0005591935.tif 000008
【００５５】
ただし、ｈ（）は、追加の干渉を算出するための関数である。
【００５６】
関数ｈ（）は、相関パラメータβm、長期チャネル利得Ｃm、および／または他のパラメータに依存することが可能である。また、関数ｈ（）は、伝送タイプに依存することも可能であり、さらに共同処理と協調ビーム形成に関して異なる仕方で定義されることが可能である。また、関数ｈ（）は、ＵＥによって使用される受信機処理技術、および／または他の要因に依存することも可能である。一設計において、追加の干渉は、１つまたは複数の入力パラメータ（例えば、βmとＣm）の値の様々な組合せに関して算出されることが可能であり、さらにルックアップテーブルの中に格納されることが可能である。また、追加の干渉は、他の仕方で算出されることも可能である。
【００５７】
コンパレータ４３０が、セルｍに関する追加の干渉を目標干渉レベルと比較することが可能であり、さらにその追加の干渉が目標干渉レベルを超える、または下回る量の指示をもたらすことが可能である。コントローラ４４０が、コンパレータ４３０の出力を受け取ることが可能であり、さらにＬmおよびＴmの現在、選択された値が許容できる追加の干渉、例えば、目標干渉レベルを下回る、または目標干渉レベルに十分に近い追加の干渉をもたらすかどうかを判定することが可能である。一設計において、コントローラ４４０が、βmが漸進的に増加し、追加の干渉が漸進的に減少するようにＬmおよびＴmの値を選択することが可能である。この設計において、コントローラ４４０は、追加の干渉が目標干渉レベルを下回って低下するといつでも停止することが可能である。また、コントローラ４４０は、他の仕方で、例えば、二分探索に基づいてＬmおよびＴmの値を選択することも可能である。いずれにしても、コントローラ４４０は、（ｉ）追加の干渉が許容できる場合、セルｍに関するＬmおよびＴmの選択された値としてＬmおよびＴmの現在の値を供給すること、または（ｉｉ）追加の干渉が許容できない場合、評価のためにＬmおよびＴmの新たな値を選択することが可能である。
【００５８】
図４に示される設計において、サブバンドサイズＬmおよび報告間隔Ｔmに関するスケーラブルなフィードバックパラメータが、各セルに関して、そのセルに関する長期チャネル利得Ｃmに基づいて、個々に決定される。他の設計において、各セルに関して異なるスケーラブルなフィードバックパラメータ、および／またはさらなるスケーラブルなフィードバックパラメータ（例えば、ＣＳＩ量子化細分性）が、そのセルに関する長期チャネル利得および／または他のパラメータに基づいて決定されることが可能である。
【００５９】
図４に示されていない別の設計において、セルのセットに関するスケーラブルなフィードバックパラメータが、すべてのセルに関する長期チャネル利得に基づいて、共同で決定されることが可能である。この設計において、ユニット４２０が、すべてのセルに関して相関パラメータβの値、および長期チャネル利得の値を受け取り、さらにすべてのセルに関する合計の追加の干渉を提供することが可能である。コントローラ４４０が、すべてのセルに関するスケーラブルなフィードバックパラメータの値の様々な組合せを評価して、すべてのセルに関して許容できる合計の追加の干渉を得ることが可能である。この設計は、すべてのセルからの寄与を共同で算出することによって、パフォーマンスを向上させることが可能である。
【００６０】
別の設計において、各セルに関するＣＳＩフィードバックは、ＣＳＩ誤差に起因する、そのセルからの予期される干渉寄与に基づいて決定されることが可能である。例えば、ＵＥが、Ｍ個のセルに関するＣＳＩを報告することが可能であり、さらにＭ個すべてのセルに関するＣＳＩ誤差に起因する追加の干渉が、ＵＥにおける残留干渉Ｉ0とほぼ等しいことが望ましい可能性がある。この事例において、各セルに関するＣＳＩ誤差に起因する追加の干渉は、Ｉ0／Ｍ以下に維持されることが可能である。この設計において、各セルに関するＣＳＩフィードバックは、そのセルに関するチャネル、ならびにＵＥによって報告されるべきセルの数に依存することが可能である。
【００６１】
前述の設計において、スケーラブルなフィードバックパラメータは、これらのスケーラブルなフィードバックパラメータに関連するＣＳＩ誤差に起因する追加の干渉に基づいて、さらに目標干渉レベルにさらに基づいて決定されることが可能である。また、スケーラブルなフィードバックパラメータは、干渉の代わりに、または干渉に加えて、その他の基準に基づいて決定されることも可能である。一般に、本明細書で提示される枠組みは、パフォーマンスに与えるＣＳＩ誤差または障害の影響を捕捉することができる任意のメトリックを利用することが可能である。詳細には、セルからのパフォーマンス寄与が、パフォーマンスメトリック（例えば、スループットまたはスペクトル効率）にどのようにか関連付けられることが可能である場合、そのような定式化は、スケーラブルなフィードバックパラメータを決定する際に役立つ可能性がある。一設計において、スケーラブルなフィードバックパラメータは、ＣＳＩ測定誤差からもたらされるＣＳＩ誤差だけに基づいて決定されることが可能である。この設計において、ＣＳＩ報告時間／周波数細分性およびＣＳＩ量子化レベルは、もたらされるＣＳＩ誤差が、ＣＳＩ測定誤差を介して既に誘発されている「雑音」とほぼ等しくなるように選択されることが可能である。直観的に、そのような定式化は、ＣＳＩレポートを、ＣＳＩ推定誤差に起因してこれらのＣＳＩレポートの中に既に含まれる不確かさを超える精度で伝送する必要がないことを示す。
【００６２】
スケーラブルなチャネルフィードバックの別の設計において、ＣＳＩ報告は、パフォーマンスに与えるＣＳＩ誤差の影響に基づいて設定されることが可能である。例えば、所与のセルに関するＣＳＩが、報告されないこと、または長い周期性で報告されることが、そのような制限されたＣＳＩ報告がパフォーマンスに限られた影響しか与えない場合、可能である。例えば、セルが十分に弱い場合、このセルに関してＣＳＩを報告しないことは、許容できるパフォーマンス損失をもたらす可能性がある。
【００６３】
スケーラブルなチャネルフィードバックは、固定のチャネルフィードバックと比較して、所与のレベルのパフォーマンスに関して、より小さいフィードバックオーバーヘッドをもたらすこと、または所与の量のフィードバックオーバーヘッドに関して、より良好なパフォーマンスをもたらすことが可能である。固定のチャネルフィードバックの場合、すべてのセルに関して、それらのセルの長期チャネル利得、またはそれらのセルの、全体的なパフォーマンスに対する寄与にかかわらず、同一の細分性（例えば、同一のサブバンドサイズ、および同一の報告間隔）が使用される。本発明者らによって実行された初期のパフォーマンス研究は、スケーラブルなチャネルフィードバックが、代表的な展開モデルに基づく同等のレベルのパフォーマンスに関して、固定のチャネルフィードバックに対して約２５％だけ、フィードバックオーバーヘッドを低減することが可能であることを示す。
【００６４】
図５は、スケーラブルなチャネルフィードバックでＣＳＩを報告するためのプロセス５００の設計を示す。プロセス５００は、ＵＥによって（以下に説明されるとおり）、または他の何らかのエンティティによって実行されることが可能である。ＵＥが、複数のセルのそれぞれに関するＣＳＩのフィードバックの細分性を決定することが可能である（ブロック５１２）。各セルに関するフィードバックの細分性は、セルとＵＥの間の通信チャネルの品質に基づいて選択されることが可能である（例えば、ＵＥまたはネットワークエンティティによって）。セルの通信チャネルの品質は、ＵＥに対するデータ伝送に関するセルのパフォーマンスインパクトを示すことが可能である。異なる品質（またはＵＥに対するデータ伝送に関する異なるパフォーマンスインパクト）の通信チャネルを有する異なるセルは、フィードバックの異なる細分性を有することが可能であり、さらに異なる量のフィードバックリソースを割り当てられることが可能である。ＵＥが、その複数のセルのそれぞれに関するＣＳＩを、そのセルに関するフィードバックの細分性に基づいて、報告することが可能である（ブロック５１４）。
【００６５】
一設計において、各セルの通信チャネルの品質が、そのセルに関する長期チャネル利得に基づいて決定されることが可能である。次に、各セルに関するフィードバックの細分性が、そのセルに関する長期チャネル利得に基づいて選択されることが可能である。一般に、各セルに関するフィードバックの細分性は、そのセルからＵＥに至る通信チャネルの品質を示す少なくとも１つのパラメータに基づいて選択されることが可能である。
【００６６】
一設計において、各セルに関するＣＳＩのフィードバックに関するサブバンドサイズが、そのセルの通信チャネルの品質に基づいて選択されることが可能である。次に、ＵＥが、各セルに関するＣＳＩを、そのセルに関するサブバンドサイズに基づいて報告することが可能である。別の設計において、各セルに関するＣＳＩのフィードバックに関する報告間隔が、そのセルの通信チャネルの品質に基づいて選択されることが可能である。次に、ＵＥが、各セルに関するＣＳＩを、そのセルに関する報告間隔に基づいて報告することが可能である。さらに別の設計において、各セルに関するＣＳＩの量子化の細分性が、そのセルの通信チャネルの品質に基づいて選択されることが可能である。次に、ＵＥが、各セルに関するＣＳＩを、そのセルに関するＣＳＩの量子化の細分性に基づいて報告することが可能である。一般に、各セルに関するＣＳＩのフィードバックに関して少なくとも１つのパラメータ（例えば、サブバンドサイズ、報告間隔、量子化など）が、そのセルの通信チャネルの品質に基づいて選択されることが可能である。次に、ＵＥが、各セルに関するＣＳＩを、そのセルに関して決定された少なくとも１つのパラメータに基づいて報告することが可能である。
【００６７】
図４に示される一設計において、各セルに関して、そのセルに関する相関パラメータが、そのセルに関するフィードバックの細分性と関係し、さらにその細分性に影響を与える少なくとも１つのパラメータに基づいて決定されることが可能である。セルに関するＣＳＩ誤差に起因する干渉は、そのセルに関する相関パラメータおよび長期チャネル利得に基づいて算出されることが可能である。前述のステップは、少なくとも１つのパラメータの可能な異なる値に関して反復して実行されることが可能である。セルに関する少なくとも１つのパラメータは、セルに関するＣＳＩ誤差に起因する干渉、および目標干渉レベルに基づいて選択されることが可能である。
【００６８】
ＵＥは、様々な仕方で各セルに関するＣＳＩを決定することが可能である。一設計において、ＵＥが、各セルに関する複数の副搬送波に関して複数のチャネル行列を獲得することが可能である。次に、ＵＥが、各セルに関するＣＳＩを、複数のチャネル行列に基づいて、さらにそのセルのフィードバックの細分性に応じて、生成することが可能である。一設計において、ＵＥは、各セルに関する少なくとも１つのサブバンドに関して少なくとも１つのフィードバックチャネル行列を、式（３）に示されるとおり、そのセルに関する複数のチャネル行列に基づいて決定することが可能である。各フィードバックチャネル行列が、セルに関するフィードバックの細分性によって決定された構成可能な数の副搬送波に関するチャネル行列に基づいて決定されることが可能である。次に、ＵＥが、各セルに関するＣＳＩを、そのセルに関する少なくとも１つのフィードバックチャネル行列に基づいて決定することが可能である。別の設計において、ＵＥは、各セルに関する少なくとも１つのサブバンドに関して少なくとも１つの固有ベクトルを、そのセルの複数のチャネル行列に基づいて決定することが可能である。各固有ベクトルは、セルのフィードバックの細分性によって決定されることが可能な、構成可能な数の副搬送波に関するチャネル行列に基づいて決定されることが可能である。次に、ＵＥが、各セルに関するＣＳＩを、そのセルに関する少なくとも１つの固有ベクトルに基づいて決定することが可能である。一般に、各セルに関するＣＳＩは、明示的なチャネルフィードバック（例えば、チャネル行列、固有ベクトルなど）、または暗黙のチャネルフィードバック（例えば、プリコーディングベクトルなど）を備えることが可能である。
【００６９】
ＵＥが、複数のセルのなかの少なくとも１つのセルからデータ伝送を受信することが可能であり、このデータ伝送は、複数のセルに関する報告されたＣＳＩに基づいて送られる（ブロック５１６）。一設計において、共同処理を使用するＣｏＭＰ伝送に関して、ＵＥが、複数のセルの中のセルのセットからデータ伝送を受信することが可能である。このデータ伝送は、セルのセットによって、ＵＥによって報告されたＣＳＩに基づいて決定されたプリコーディングベクトルに基づいて送られることが可能である。別の設計において、協調ビーム形成を使用するＣｏＭＰ伝送に関して、ＵＥが、複数のセルのなかの単一のセルからデータ伝送を受信することが可能である。このデータ伝送は、このデータ伝送をそのＵＥに向かわせるとともに、少なくとも１つの他のセルによるサービスを受ける少なくとも１つのＵＥから遠ざけるように、報告されたＣＳＩに基づいて決定された少なくとも１つのプリコーディングベクトルに基づいて、セルによって送られることが可能である。
【００７０】
図６は、スケーラブルなチャネルフィードバックでＣＳＩを報告するための装置６００の設計を示す。装置６００は、複数のセルのそれぞれに関してＣＳＩのフィードバックの細分性を決定するモジュール６１２を含み、各セルに関するフィードバックの細分性は、セルとＵＥの間の通信チャネルの品質に基づいて選択され、複数のセルのそれぞれに関するＣＳＩを、そのセルのフィードバックの細分性に基づいて報告するモジュール６１４を含み、さらに複数のセルのなかの少なくとも１つのセルからデータ伝送を受信するモジュール６１６を含み、このデータ伝送は、複数のセルに関する報告されたＣＳＩに基づいて送られる。
【００７１】
図７は、スケーラブルなチャネルフィードバックを使用して送られるＣＳＩを受信するためのプロセス７００の設計を示す。プロセス７００は、セルによって（以下に説明されるとおり）、または他の何らかのネットワークエンティティによって実行されることが可能である。セルは、ＵＥにデータを伝送することができる複数のセルの１つであることが可能であり、さらにＵＥからセルに関するＣＳＩを受信することが可能である（ブロック７１２）。セルに関するＣＳＩは、セルとＵＥの間の通信チャネルの品質に基づいて、セルに関して選択されたＣＳＩのフィードバックの細分性に応じて、ＵＥによって決定されることが可能である。セルが、受信されたＣＳＩに基づいて、ＵＥにデータ伝送を送ることが可能である（ブロック７１４）。このデータ伝送は、複数のセルのなかの少なくとも１つのセル（そのセルを含む）によって送られることが可能である。
【００７２】
一設計において、セルの通信チャネルの品質は、ＵＥにおけるそのセルに関する長期チャネル利得に基づいて決定されることが可能である。また、セルの通信チャネルの品質は、受信信号強度、受信信号品質などの他のパラメータに基づいて決定されることも可能である。
【００７３】
一設計において、セルに関するＣＳＩは、そのセルの通信チャネルの品質に基づいてそのセルに関して選択されたサブバンドサイズに基づいて、ＵＥによって決定されることが可能である。別の設計において、セルに関するＣＳＩは、そのセルの通信チャネルに品質に基づいてそのセルに関して選択された報告間隔に応じて、ＵＥによって決定されることが可能である。さらに別の設計において、セルに関するＣＳＩは、そのセルの通信チャネルに品質に基づいてそのセルに関して選択されたＣＳＩの量子化の細分性に基づいて、ＵＥによって決定されることが可能である。一般に、セルに関するＣＳＩは、そのセルに関するＣＳＩのフィードバックの細分性に影響を与える１つまたは複数のパラメータに基づいて決定されることが可能である。
【００７４】
一設計において、共同処理を使用するＣｏＭＰ伝送に関して、少なくとも１つのセルは、複数のセルのなかのセルのセットを含むことが可能である。セルのセットに関するプリコーディングベクトルは、セルのセットに関してＵＥによって報告されるＣＳＩに基づいて決定されることが可能である。データ伝送は、それらのプリコーディングベクトルに基づいて、セルのセットによってＵＥに送られることが可能である。
【００７５】
一設計において、協調ビーム形成を使用するＣｏＭＰ伝送に関して、少なくとも１つのセルは、そのセルだけしか含まないことが可能である。そのセルに関する少なくとも１つのプリコーディングベクトルが、複数のセルに関してＵＥによって報告されるＣＳＩに基づいて決定されることが可能である。データ伝送は、データ伝送をそのＵＥに向かわせるとともに、複数のセルのなかの少なくとも１つの他のセルによるサービスを受ける他の少なくとも１つのＵＥから遠ざけるように少なくとも１つのプリコーディングベクトルに基づいて、そのセルによってＵＥに送られることが可能である。
【００７６】
図８は、スケーラブルなチャネルフィードバックを使用して送られるＣＳＩを受信するための装置８００の設計を示す。装置８００は、複数のセルのなかのセルに関するＣＳＩを受信するモジュール８１２を含み、そのセルに関するＣＳＩは、そのセルとＵＥの間の通信チャネルの品質に基づいて、そのセルに関して選択されたＣＳＩのフィードバックの細分性に応じて、ＵＥによって決定され、さらに受信されたＣＳＩに基づいて、そのセルからＵＥにデータ伝送を送るモジュール８１４を含み、このデータ伝送は、複数のセルのなかの少なくとも１つのセルによって送られ、その少なくとも１つのセルは、そのセルを含む。
【００７７】
図６および図８のモジュールは、プロセッサと、電子デバイスと、ハードウェアデバイスと、電子構成要素と、論理回路と、メモリと、ソフトウェアコードと、ファームウェアコードなどとを備えることが可能であり、あるいは以上の任意の組合せを備えることが可能である。
【００７８】
図９は、図１における基地局／ｅＮＢの１つ、およびＵＥの１つであることが可能な、基地局／ｅＮＢ１１０およびＵＥ１２０の設計のブロック図を示す。基地局１１０は、１つまたは複数のセルにサービスを提供することが可能であり、さらにＮ個のアンテナ９３４ａから９３４ｎを備えることが可能であり、ただし、Ｎ≧１である。ＵＥ１２０は、Ｒ個のアンテナ９５２ａから９５２ｒを備えることが可能であり、ただし、Ｒ≧１である。
【００７９】
基地局１１０で、送信プロセッサ９２０が、データソース９１２から１つまたは複数のＵＥのためのデータを受け取り、１つまたは複数の変調符号化方式に基づいて各ＵＥのためのデータを処理し、さらにすべてのＵＥのためのデータシンボルを供給する。また、プロセッサ９２０は、コントローラ／プロセッサ９４０から制御情報を受け取り、処理して、制御シンボルをもたらすことも可能である。また、プロセッサ９２０は、１つまたは複数の基準信号のための基準シンボルを生成することも可能である。送信（ＴＸ）ＭＩＭＯプロセッサ９３０が、該当する場合、データシンボル、制御シンボル、および／または基準シンボルに対してプリコーディングを実行することが可能であり、さらにＮ個の変調器（ＭＯＤ）９３２ａから９３２ｎにＮ個の出力シンボルストリームを供給することが可能である。各変調器９３２は、それぞれの出力シンボルストリームを処理して（例えば、ＯＦＤＭなどのために）、出力サンプルストリームを獲得することが可能である。各モジュール９３２は、その出力サンプルストリームをさらに処理して（例えば、アナログに変換し、増幅し、フィルタリングし、さらにアップコンバートして）、ダウンリンク信号を獲得することが可能である。モジュール９３２ａないし９３２ｎからのＮ個のダウンリンク信号は、それぞれ、Ｎ個のアンテナ９３４ａないし９３４ｎを介して送信されることが可能である。
【００８０】
ＵＥ１２０で、アンテナ９５２ａから９５２ｒが、基地局１１０、および他の基地局からダウンリンク信号を受信することが可能であり、さらに受信された信号を、それぞれ、復調器（ＤＥＭＯＤ）９５４ａから９５４ｒに供給することが可能である。各復調器９５４は、それぞれの受信された信号を調整して（例えば、フィルタリングし、増幅し、ダウンコンバートし、さらにディジタル化して）、入力サンプルを獲得することが可能である。各復調器９５４は、それらの入力サンプルをさらに処理して（例えば、ＯＦＤＭなどのために）、受信されたシンボルを獲得することが可能である。ＭＩＭＯ検出器９５６が、Ｒ個すべての復調器９５４ａないし９５４ｒから、受信されたシンボルを獲得し、該当する場合、それらの受信されたシンボルに対してＭＩＭＯ検出を実行し、さらに検出されたシンボルをもたらすことが可能である。受信プロセッサ９５８が、それらの検出されたシンボルを処理し（例えば、復調して、復号し）、ＵＥ１２０のための復号されたデータをデータシンク９６０に供給し、さらに復号された制御情報をコントローラ／プロセッサ９８０に供給することが可能である。
【００８１】
アップリンクで、ＵＥ１２０において、送信プロセッサ９６４が、データソース９６２からデータを受け取り、コントローラ／プロセッサ９８０から制御情報（例えば、ＣＳＩ）を受け取ることが可能である。プロセッサ９６４が、そのデータおよび制御情報を処理して（例えば、符号化し、変調して）、それぞれ、データシンボルおよび制御シンボルを獲得する。また、プロセッサ９６４は、１つまたは複数の基準信号のための基準シンボルを生成することも可能である。送信プロセッサ９６４からの、これらのシンボルは、該当する場合、ＴＸ  ＭＩＭＯプロセッサ９６６によってプリコーディングされ、変調器９５４ａから９５４ｒによってさらに処理され（例えば、ＳＣ−ＦＤＭ、ＯＦＤＭなどのために）、さらに基地局１１０、および、場合により、他の基地局に送信されることが可能である。基地局１１０において、ＵＥ１２０および他のＵＥからのアップリンク信号が、アンテナ９３４によって受信され、復調器９３２によって処理され、該当する場合、ＭＩＭＯ検出器９３６によって検出され、さらに受信プロセッサ９３８によってさらに処理されて、ＵＥ１２０および他のＵＥによって送られた、復号されたデータおよび制御情報が獲得されることが可能である。プロセッサ９３８が、その復号されたデータをデータシンク９３９に供給し、さらにその復号された制御情報をコントローラ／プロセッサ９４０に供給することが可能である。
【００８２】
スケーラブルなチャネルフィードバックのために、ＵＥ１２０におけるチャネルプロセッサ９８４が、ＵＥ１２０に関する測定セットの中の各セルに関するチャネル応答（例えば、異なる複数の副搬送波に関するチャネル行列）を推定することが可能である。プロセッサ９８０および／または９８４が、各セルに関するＣＳＩを、例えば、前述したとおり、そのセルに関する推定されたチャネル応答に基づいて決定することが可能である。プロセッサ９８０および／または９８４が、図３のチャネルプロセッサ３００、および／または図４のスケーラブルなフィードバックパラメータ決定ユニット４００を実施することが可能である。
【００８３】
コントローラ／プロセッサ９４０および９８０が、それぞれ、基地局１１０およびＵＥ１２０における動作を導くことが可能である。基地局１１０におけるプロセッサ９４０、および／またはその他のプロセッサおよびモジュールが、図７のプロセス７００、および／または本明細書で説明される技術のための他のプロセスを実行する、または導くことが可能である。ＵＥ１２０におけるプロセッサ９８０、および／またはその他のプロセッサおよびモジュールが、図５のプロセス５００、および／または本明細書で説明される技術のための他のプロセスを実行する、または導くことが可能である。メモリ９４２および９８２が、それぞれ、基地局１１０およびＵＥ１２０のためのデータおよびプログラムコードを格納することが可能である。スケジューラ９４４が、ダウンリンクおよび／またはアップリンクのデータ伝送のためにＵＥをスケジュールすることが可能である。
【００８４】
情報および信号は、様々な異なる技術および技法のいずれを使用して表現されてもよいことが当業者には理解されよう。例えば、以上の説明の全体で言及されることが可能なデータ、命令、コマンド、情報、信号、ビット、シンボル、およびチップは、電圧、電流、電磁波、磁界または磁気粒子、光の場または粒子、あるいは以上の任意の組み合わせによって表現されることが可能である。
【００８５】
本明細書の開示に関連して説明される様々な例示的な論理ブロック、モジュール、回路、およびアルゴリズムステップは、電子ハードウェアとして実施されても、コンピュータソフトウェアとして実施されても、あるいはその両方の組み合わせとして実施されてもよいことが、当業者にはさらに理解されよう。ハードウェアとソフトウェアの、この互換性を明確に示すのに、様々な例示的な構成要素、ブロック、モジュール、回路、およびステップが、概ね機能の点で以上に説明されてきた。そのような機能が、ハードウェアとして実施されるか、ソフトウェアとして実施されるかは、全体的なシステムに課される特定の応用上の制約、および設計上の制約に依存する。当業者は、説明される機能を、それぞれの特定の応用例のために様々な仕方で実施することが可能であるが、そのような実施上の決定が、本開示の範囲からの逸脱を生じさせるものと解釈されてはならない。
【００８６】
本明細書における開示に関連して説明される様々な例示的な論理ブロック、モジュール、および回路は、汎用プロセッサ、ディジタル信号プロセッサ（ＤＳＰ）、特定用途向け集積回路（ＡＳＩＣ）、フィールドプログラマブルゲートアレー（ＦＰＧＡ）もしくは他のプログラミング可能なロジックデバイス、ディスクリートのゲートもしくはトランジスタロジック、ディスクリートのハードウェア構成要素、あるいは本明細書で説明される機能を実行するように設計された以上の任意の組み合わせを使用して、実施される、または実行されることが可能である。汎用プロセッサは、マイクロプロセッサであることが可能であるが、代替として、プロセッサは、任意の従来のプロセッサ、コントローラ、マイクロコントローラ、または状態マシンであってもよい。また、プロセッサは、コンピューティングデバイスの組み合わせとして、例えば、ＤＳＰとマイクロプロセッサの組み合わせ、複数のマイクロプロセッサ、ＤＳＰコアと連携する１つまたは複数のマイクロプロセッサ、または他の任意のそのような構成として実施されることも可能である。
【００８７】
本明細書の開示に関連して説明される方法またはアルゴリズムのステップは、ハードウェアで直接に、プロセッサによって実行されるソフトウェアモジュールで、またはこの２つの組み合わせで実施されることが可能である。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルなディスク、ＣＤ−ＲＯＭ、または当技術分野で知られている他の任意の記憶媒体の中に存在することが可能である。例示的な記憶媒体は、プロセッサが、その記憶媒体から情報を読み取ること、およびその記憶媒体に情報を書き込むことができるように、プロセッサに結合される。代替として、記憶媒体は、プロセッサと一体化していてもよい。このプロセッサと記憶媒体は、ＡＳＩＣの中に存在することが可能である。このＡＳＩＣは、ユーザ端末装置内に存在することが可能である。代替として、このプロセッサと記憶媒体は、ユーザ端末装置内のディスクリートの構成要素として存在してもよい。
【００８８】
１つまたは複数の例示的な設計において、説明される機能は、ハードウェアで、ソフトウェアで、ファームウェアで、または以上の任意の組み合わせで実施されることが可能である。ソフトウェアで実施される場合、これらの機能は、１つまたは複数の命令もしくはコードとしてコンピュータ可読媒体上に格納される、またはコンピュータ可読媒体を介して伝送されることが可能である。コンピュータ可読媒体には、１つの場所から別の場所にコンピュータプログラムを移転することを円滑にする任意の媒体を含む、コンピュータ記憶媒体と通信媒体の両方が含まれる。記憶媒体は、汎用コンピュータまたは専用コンピュータによってアクセスされ得る任意の利用可能な媒体であることが可能である。例として、限定としてではなく、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、あるいは命令もしくはデータ構造の形態で所望されるプログラムコード手段を伝送する、もしくは格納するのに使用されることが可能であるとともに、汎用コンピュータもしくは専用コンピュータ、または汎用プロセッサもしくは専用プロセッサによってアクセスされ得る他の任意の媒体を備えることが可能である。また、任意の接続が、コンピュータ可読媒体と適切に呼ばれる。例えば、ソフトウェアが、同軸ケーブル、光ファイバケーブル、より対線、ディジタル加入者線（ＤＳＬ）、あるいは赤外線、無線、およびマイクロ波などのワイヤレス技術を使用してウェブサイト、サーバ、または他の遠隔ソースから伝送される場合、その同軸ケーブル、光ファイバケーブル、より対線、ＤＳＬ、あるいは赤外線、無線、およびマイクロ波などのワイヤレス技術が、媒体の定義に含められる。本明細書で使用されるディスク（ｄｉｓｋ）およびディスク（ｄｉｓｃ）には、コンパクトディスク（ＣＤ）、レーザーディスク（登録商標）、光ディスク、ディジタルバーサタイルディスク（ＤＶＤ）、フロッピー（登録商標）ディスク、およびブルーレイディスクが含まれ、ただし、ディスク（ｄｉｓｋ）は、通常、データを磁気的に再現するのに対して、ディスク（ｄｉｓｃ）は、レーザーを使用してデータを光学的に再現する。また、以上の媒体の組み合わせも、コンピュータ可読媒体の範囲内に含められるべきである。
【００８９】
本開示の以上の説明は、任意の当業者が、本開示を作成する、または使用することを可能にするように提供される。本開示の様々な改変が、当業者には直ちに明白となり、本明細書において規定される一般的な原理は、本開示の趣旨または範囲を逸脱することなく、他の変種に適用されることが可能である。このため、本開示は、本明細書で説明される実施例および設計に限定されることは意図しておらず、本明細書で開示される原理および新奇な特徴と合致する最も広い範囲を与えられるべきである。
以下に、本願出願の当初の特許請求の範囲に記載された発明を付記する。
［Ｃ１］  複数のセルのそれぞれに関してチャネル状態情報（ＣＳＩ）のフィードバックの細分性を決定し、各セルに関するフィードバックの前記細分性は、前記セルとユーザ機器（ＵＥ）の間の通信チャネルの品質に基づいて選択されること、および
前記複数のセルのそれぞれに関するＣＳＩを、前記セルに関するフィードバックの前記細分性に基づいて報告することを備えるワイヤレス通信のための方法。
［Ｃ２］  異なる品質の通信チャネルを有するセルは、フィードバックの異なる細分性を有し、さらにＣＳＩに関して異なる量のフィードバックリソースを割り当てられるＣ１に記載の方法。
［Ｃ３］  各セルの前記通信チャネルの前記品質を、前記セルの長期チャネル利得に基づいて決定することをさらに備え、さらに各セルに関するＣＳＩのフィードバックの前記細分性は、前記セルに関する前記長期チャネル利得に基づいて決定されるＣ１に記載の方法。
［Ｃ４］  各セルに関するフィードバックの前記細分性は、前記ＵＥによってＣＳＩが報告されるセルの数にさらに基づいて決定されるＣ１に記載の方法。
［Ｃ５］  ＣＳＩのフィードバックの前記細分性を前記決定することは、前記複数のセルのそれぞれに関してＣＳＩをフィードバックするためのサブバンドサイズを決定することを備え、各セルに関する前記サブバンドサイズは、前記セルの前記通信チャネルの前記品質に基づいて選択され、さらにＣＳＩを前記報告することは、前記複数のセルのそれぞれに関するＣＳＩを、前記セルに関する前記サブバンドサイズに基づいて報告することを備えるＣ１に記載の方法。
［Ｃ６］  ＣＳＩのフィードバックの前記細分性を前記決定することは、前記複数のセルのそれぞれに関してＣＳＩをフィードバックするための報告間隔を決定することを備え、各セルに関する前記報告間隔は、前記セルの前記通信チャネルの前記品質に基づいて選択され、さらにＣＳＩを前記報告することは、前記複数のセルのそれぞれに関するＣＳＩを、前記セルに関する前記報告間隔に基づいて報告することを備えるＣ１に記載の方法。
［Ｃ７］  ＣＳＩのフィードバックの前記細分性を前記決定することは、前記複数のセルのそれぞれに関してＣＳＩの量子化の細分性を決定することを備え、各セルに関するＣＳＩの量子化の前記細分性は、前記セルの前記通信チャネルの前記品質に基づいて選択され、さらにＣＳＩを前記報告することは、前記複数のセルのそれぞれに関するＣＳＩを、前記セルに関するＣＳＩの量子化の前記細分性に基づいて報告することを備えるＣ１に記載の方法。
［Ｃ８］  ＣＳＩのフィードバックの前記細分性を前記決定することは、各セルに関して、
前記セルに関する相関パラメータを、前記セルに関するＣＳＩのフィードバックの前記細分性と関係する少なくとも１つのパラメータに基づいて決定すること、
前記セルに関するＣＳＩ誤差に起因する干渉を、前記相関パラメータ、および前記セルに関する長期チャネル利得に基づいて算出すること、および
前記セルに関する前記少なくとも１つのパラメータを、前記セルに関する前記ＣＳＩ誤差に起因する前記干渉、および目標干渉レベルに基づいて選択することを備えるＣ１に記載の方法。
［Ｃ９］  前記少なくとも１つのパラメータは、サブバンドサイズ、または報告間隔、または量子化細分性、またはサブバンドサイズと報告間隔と量子化細分性の組合せを備えるＣ８に記載の方法。
［Ｃ１０］  前記複数のセルのそれぞれに関して複数の副搬送波に関する複数のチャネル行列を獲得すること、および
前記複数のセルのそれぞれに関する前記ＣＳＩを、前記複数のチャネル行列、および前記セルに関するフィードバックの前記細分性に基づいて生成することをさらに備えるＣ１に記載の方法。
［Ｃ１１］  各セルに関して少なくとも１つのサブバンドに関する少なくとも１つのフィードバックチャネル行列を、前記セルに関する前記複数のチャネル行列に基づいて決定し、各フィードバックチャネル行列は、前記セルに関するフィードバックの前記細分性によって決定された構成可能な数の副搬送波に関するチャネル行列に基づいて決定されること、および
各セルに関する前記ＣＳＩを、前記セルに関する前記少なくとも１つのフィードバックチャネル行列に基づいて決定することをさらに備えるＣ１０に記載の方法。
［Ｃ１２］  各セルに関して少なくとも１つのサブバンドに関する少なくとも１つの固有ベクトルを、前記セルに関する前記複数のチャネル行列に基づいて決定し、各固有ベクトルは、前記セルに関するフィードバックの前記細分性によって決定された構成可能な数の副搬送波に関するチャネル行列に基づいて決定されること、および
各セルに関する前記ＣＳＩを、前記セルに関する前記少なくとも１つの固有ベクトルに基づいて決定することをさらに備えるＣ１０に記載の方法。
［Ｃ１３］  前記複数のセルのなかのセルのセットからデータ伝送を受信し、前記データ伝送は、セルの前記セットに関する前記報告されたＣＳＩに基づいて送られることをさらに備えるＣ１に記載の方法。
［Ｃ１４］  前記複数のセルのなかのセルからデータ伝送を受信し、前記データ伝送は、前記複数のセルに関する前記報告されたＣＳＩに基づいて決定された少なくとも１つのプリコーディングベクトルに基づいて送られるＣ１に記載の方法。
［Ｃ１５］  複数のセルのそれぞれに関してチャネル状態情報（ＣＳＩ）のフィードバックの細分性を決定するための手段であって、各セルに関するフィードバックの前記細分性は、前記セルとユーザ機器（ＵＥ）の間の通信チャネルの品質に基づいて選択される手段と、
前記複数のセルのそれぞれに関するＣＳＩを、前記セルに関するフィードバックの前記細分性に基づいて報告するための手段とを備えるワイヤレス通信のための装置。
［Ｃ１６］  各セルの前記通信チャネルの前記品質を、前記セルの長期チャネル利得に基づいて決定するための手段をさらに備え、さらに各セルに関するＣＳＩのフィードバックの前記細分性は、前記セルに関する前記長期チャネル利得に基づいて決定されるＣ１５に記載の装置。
［Ｃ１７］  ＣＳＩのフィードバックの前記細分性を前記決定するための手段は、前記複数のセルのそれぞれに関してＣＳＩをフィードバックするためのサブバンドサイズを決定するための手段を備え、各セルに関する前記サブバンドサイズは、前記セルの前記通信チャネルの前記品質に基づいて選択され、さらにＣＳＩを前記報告するための手段は、前記複数のセルのそれぞれに関するＣＳＩを、前記セルに関する前記サブバンドサイズに基づいて報告するための手段を備えるＣ１５に記載の装置。
［Ｃ１８］  ＣＳＩのフィードバックの前記細分性を前記決定するための手段は、前記複数のセルのそれぞれに関してＣＳＩをフィードバックするための報告間隔を決定するための手段を備え、各セルに関する前記報告間隔は、前記セルの前記通信チャネルの前記品質に基づいて選択され、さらにＣＳＩを前記報告するための手段は、前記複数のセルのそれぞれに関するＣＳＩを、前記セルに関する前記報告間隔に基づいて報告するための手段を備えるＣ１５に記載の装置。
［Ｃ１９］  ＣＳＩのフィードバックの前記細分性を前記決定するための手段は、前記複数のセルのそれぞれに関してＣＳＩの量子化の細分性を決定するための手段を備え、各セルに関するＣＳＩの量子化の前記細分性は、前記セルの前記通信チャネルの前記品質に基づいて選択され、さらにＣＳＩを前記報告するための手段は、前記複数のセルのそれぞれに関するＣＳＩを、前記セルに関するＣＳＩの量子化の前記細分性に基づいて報告するための手段を備えるＣ１５に記載の装置。
［Ｃ２０］  複数のセルのそれぞれに関してチャネル状態情報（ＣＳＩ）のフィードバックの細分性を決定するように構成され、各セルに関するフィードバックの前記細分性は、前記セルとユーザ機器（ＵＥ）の間の通信チャネルの品質に基づいて選択される少なくとも１つのプロセッサであって、さらに前記複数のセルのそれぞれに関するＣＳＩを、前記セルに関するフィードバックの前記細分性に基づいて報告するように構成される少なくとも１つのプロセッサを備えるワイヤレス通信のための装置。
［Ｃ２１］  前記少なくとも１つのプロセッサは、各セルの前記通信チャネルの前記品質を、前記セルに関する長期チャネル利得に基づいて決定し、さらに各セルに関するＣＳＩのフィードバックの前記細分性を、前記セルに関する前記長期チャネル利得に基づいて決定するように構成されるＣ２０に記載の装置。
［Ｃ２２］  前記少なくとも１つのプロセッサは、前記複数のセルのそれぞれに関してＣＳＩをフィードバックするためのサブバンドサイズを決定するように構成され、各セルに関する前記サブバンドサイズは、前記セルの前記通信チャネルの前記品質に基づいて選択され、さらに前記複数のセルのそれぞれに関するＣＳＩを、前記セルに関する前記サブバンドサイズに基づいて報告するように構成されるＣ２０に記載の装置。
［Ｃ２３］  前記少なくとも１つのプロセッサは、前記複数のセルのそれぞれに関してＣＳＩをフィードバックするための報告間隔を決定するように構成され、各セルに関する前記報告間隔は、前記セルの前記通信チャネルの前記品質に基づいて選択され、さらに前記複数のセルのそれぞれに関するＣＳＩを、前記セルの前記報告間隔に基づいて報告するように構成されるＣ２０に記載の装置。
［Ｃ２４］  前記少なくとも１つのプロセッサは、前記複数のセルのそれぞれに関してＣＳＩの量子化の細分性を決定するように構成され、各セルに関するＣＳＩの量子化の前記細分性は、前記セルの前記通信チャネルの前記品質に基づいて選択され、さらに前記複数のセルのそれぞれに関するＣＳＩを、前記セルに関するＣＳＩの量子化の前記細分性に基づいて報告するように構成されるＣ２０に記載の装置。
［Ｃ２５］  少なくとも１つのコンピュータに、複数のセルのそれぞれに関してチャネル状態情報（ＣＳＩ）のフィードバックの細分性を決定させるためのコードであって、各セルに関するフィードバックの前記細分性は、前記セルとユーザ機器（ＵＥ）の間の通信チャネルの品質に基づいて選択されるコードと、
前記少なくとも１つのコンピュータに、前記複数のセルのそれぞれに関するＣＳＩを、前記セルに関するフィードバックの前記細分性に基づいて報告させるためのコードとを備える一時的でないコンピュータ可読媒体を備えるコンピュータプログラム製品。
［Ｃ２６］  複数のセルのなかのセルに関するチャネル状態情報（ＣＳＩ）を受信し、前記セルに関する前記ＣＳＩは、前記セルとユーザ機器（ＵＥ）の間の通信チャネルの品質に基づいて前記セルに関して選択されたＣＳＩのフィードバックの細分性に応じて、前記ＵＥによって決定されること、および
前記受信されたＣＳＩに基づいて前記セルから前記ＵＥにデータ伝送を送り、前記データ伝送は、前記複数のセルのなかの少なくとも１つのセルによって送られ、前記少なくとも１つのセルは、前記セルを含むことをさらに備えるワイヤレス通信のための方法。
［Ｃ２７］  前記セルの前記通信チャネルの前記品質は、前記ＵＥにおける前記セルに関する長期チャネル利得に基づいて決定されるＣ２６に記載の方法。
［Ｃ２８］  前記セルに関する前記ＣＳＩは、前記セルの前記通信チャネルの前記品質に基づいて前記セルに関して選択されたサブバンドサイズに関して、前記ＵＥによって決定されるＣ２６に記載の方法。
［Ｃ２９］  前記セルに関するＣＳＩを前記受信することは、前記セルの前記通信チャネルの前記品質に基づいて前記セルに関して選択された報告間隔に応じて、前記ＵＥによって送られた前記セルに関する前記ＣＳＩを受信することを備えるＣ２６に記載の方法。
［Ｃ３０］  前記セルに関する前記ＣＳＩは、前記セルの前記通信チャネルの前記品質に基づいて前記セルに関して選択されたＣＳＩの量子化の細分性に基づいて、前記ＵＥによって決定されるＣ２６に記載の方法。
［Ｃ３１］  前記少なくとも１つのセルは、前記複数のセルのなかのセルのセットを含み、セルの前記セットに関するプリコーディングベクトルは、セルの前記セットに関して前記ＵＥによって報告されたＣＳＩに基づいて決定され、さらに前記データ伝送は、前記プリコーディングベクトルに基づいて、セルの前記セットによって前記ＵＥに送られるＣ２６に記載の方法。
［Ｃ３２］  前記少なくとも１つのセルは、前記セルだけを含み、少なくとも１つのプリコーディングベクトルは、前記複数のセルに関して前記ＵＥによって報告されたＣＳＩに基づいて決定され、さらに前記データ伝送は、前記データ伝送を前記ＵＥに向かわせるとともに、前記複数のセルのなかの他の少なくとも１つのセルによるサービスを受ける少なくとも１つのＵＥから遠ざけるように前記少なくとも１つのプリコーディングベクトルに基づいて、前記セルによって前記ＵＥに送られるＣ２６に記載の方法。
［Ｃ３３］  複数のセルのなかのセルに関するチャネル状態情報（ＣＳＩ）を受信するための手段であって、前記セルに関する前記ＣＳＩは、前記セルとユーザ機器（ＵＥ）の間の通信チャネルの品質に基づいて前記セルに関して選択されたＣＳＩのフィードバックの細分性に応じて、前記ＵＥによって決定される手段と、
前記受信されたＣＳＩに基づいて前記セルから前記ＵＥにデータ伝送を送るための手段であって、前記データ伝送は、前記複数のセルのなかの少なくとも１つのセルによって送られ、前記少なくとも１つのセルは、前記セルを含む手段とを備えるワイヤレス通信のための装置。
［Ｃ３４］  前記セルの前記通信チャネルの前記品質は、前記ＵＥにおける前記セルに関する長期チャネル利得に基づいて決定されるＣ３３に記載の装置。
［Ｃ３５］  前記セルに関する前記ＣＳＩは、前記セルの前記通信チャネルの前記品質に基づいて前記セルに関して選択されたサブバンドサイズに関して、前記ＵＥによって決定されるＣ３３に記載の装置。
［Ｃ３６］  前記セルに関するＣＳＩを前記受信するための手段は、前記セルの前記通信チャネルの前記品質に基づいて前記セルに関して選択された報告間隔に応じて、前記ＵＥによって送られた前記セルに関する前記ＣＳＩを受信するための手段を備えるＣ３３に記載の装置。
［Ｃ３７］  前記セルに関する前記ＣＳＩは、前記セルの前記通信チャネルの前記品質に基づいて前記セルに関して選択されたＣＳＩの量子化の細分性に基づいて、前記ＵＥによって決定されるＣ３３に記載の装置。
［Ｃ３８］  複数のセルのなかのセルに関するチャネル状態情報（ＣＳＩ）を受信するように構成され、前記セルに関する前記ＣＳＩは、前記セルとユーザ機器（ＵＥ）の間の通信チャネルの品質に基づいて前記セルに関して選択されたＣＳＩのフィードバックの細分性に応じて、前記ＵＥによって決定される少なくとも１つのプロセッサであって、さらに前記受信されたＣＳＩに基づいて前記セルから前記ＵＥにデータ伝送を送るように構成され、前記データ伝送は、前記複数のセルのなかの少なくとも１つのセルによって送られ、前記少なくとも１つのセルは、前記セルを含む少なくとも１つのプロセッサを備えるワイヤレス通信のための装置。
［Ｃ３９］  前記セルの前記通信チャネルの前記品質は、前記ＵＥにおける前記セルに関する長期チャネル利得に基づいて決定されるＣ３８に記載の装置。
［Ｃ４０］  前記セルに関する前記ＣＳＩは、前記セルの前記通信チャネルの前記品質に基づいて前記セルに関して選択されたサブバンドサイズに関して、前記ＵＥによって決定されるＣ３８に記載の装置。
［Ｃ４１］  前記少なくとも１つのプロセッサは、前記セルの前記通信チャネルの前記品質に基づいて前記セルに関して選択された報告間隔に応じて、前記ＵＥによって送られた前記セルに関する前記ＣＳＩを受信するように構成されるＣ３８に記載の装置。
［Ｃ４２］  前記セルに関する前記ＣＳＩは、前記セルの前記通信チャネルの前記品質に基づいて前記セルに関して選択されたＣＳＩの量子化の細分性に基づいて、前記ＵＥによって決定されるＣ３８に記載の装置。
［Ｃ４３］  少なくとも１つのコンピュータに、複数のセルのなかのセルに関するチャネル状態情報（ＣＳＩ）を受信させるためのコードであって、前記セルに関する前記ＣＳＩは、前記セルとユーザ機器（ＵＥ）の間の通信チャネルの品質に基づいて前記セルに関して選択されたＣＳＩのフィードバックの細分性に応じて、前記ＵＥによって決定されるコードと、
前記少なくとも１つのコンピュータに、前記受信されたＣＳＩに基づいて前記セルから前記ＵＥにデータ伝送を送らせるためのコードであって、前記データ伝送は、前記複数のセルのなかの少なくとも１つのセルによって送られ、前記少なくとも１つのセルは、前記セルを含むコードとを備える一時的でないコンピュータ可読媒体を備えるコンピュータプログラム製品。
【図１】
0005591935.tif 000009
【図２】
0005591935.tif 000010
【図３】
0005591935.tif 000011
【図４】
0005591935.tif 000012
【図５】
0005591935.tif 000013
【図６】
0005591935.tif 000014
【図７】
0005591935.tif 000015
【図８】
0005591935.tif 000016
【図９】
0005591935.tif 000017